(57)【要約】【課題】カメラボディと交換レンズとをアダプタ装置を介してガタつきなく結合させる。【解決手段】マウントアダプタ４００は、固定筒４１０と、固定筒４１０と係合し、固定筒４１０に対して光軸方向に移動可能な可動筒４２０を備える。固定筒４１０は、カメラボディ１１０と当接する第１のマウント面４１１と、交換レンズ２００と当接する第２のマウント面４１２とを有し、可動筒４２０は、カメラボディ１１０のマウント爪部３２１ａ〜ｃと係合する第１のマウント爪部４２１ａ〜ｃと、交換レンズ２００のマウント爪部２４０ａ〜ｃと係合する第２のマウント爪部４２２ａ〜ｃを有する。【選択図】図６
2019078902.tif 000002
【特許請求の範囲】
【請求項１】
固定筒と、該固定筒と係合し且つ該固定筒に対して該固定筒の光軸方向に移動可能な可動筒とを備えるアダプタ装置であって、
前記固定筒は、
第１の機器と当接する第１のマウント面と、
第２の機器と当接する第２のマウント面と、を有し、
前記可動筒は、
前記第１の機器のマウント爪部と係合する第１のマウント爪部と、
前記第２の機器のマウント爪部と係合する第２のマウント爪部と、を有することを特徴とするアダプタ装置。
【請求項２】
前記可動筒に固定されて前記第１の機器の電気接点部と電気的に接続される第１の電気接点部と、
前記固定筒に固定されて前記第２の機器の電気接点部と電気的に接続される第２の電気接点部と、
前記第１の電気接点部と前記第２の電気接点部を電気的に接続する配線部と、を有する電気接点部材を備えることを特徴とする請求項１に記載のアダプタ装置。
【請求項３】
前記光軸方向に移動可能であり、前記第２のマウント面から突出する凸部を有し、
前記凸部は、前記第２のマウント面に前記第２の機器が取り付けられた状態で前記第２の機器に設けられた凹部と係合することを特徴とする請求項１又は２に記載のアダプタ装置。
【請求項４】
第１の当て部と、第２の当て部と、を有する規制部材を備え、
前記規制部材は、前記第１の当て部が前記第１の機器により前記第２の機器へ向かって前記光軸方向に押下されている状態では、前記凸部が前記第２のマウント面に向けて押下されるのを前記第２の当て部によって防止することを特徴とする請求項３に記載のアダプタ装置。
【請求項５】
前記可動筒は、前記固定筒の光軸を中心に前記固定筒に対して回転可能に係合していることを特徴とする請求項１に記載のアダプタ装置。
【請求項６】
前記可動筒に設けられた操作部材を備え、
前記操作部材は、前記第２のマウント面に前記第２の機器が取り付けられた状態で、前記固定筒と係合して前記固定筒に対する回転を規制することを特徴とする請求項５に記載のアダプタ装置。
【請求項７】
前記固定筒と係合する外筒を備え、
前記外筒は、マウント面を有し、該マウント面が前記第１の機器のマウント面と当接するように前記第１の機器へ向かって付勢されていることを特徴とする請求項５又は６に記載のアダプタ装置。
【請求項８】
前記可動筒は、
前記第１のマウント爪部が設けられ、前記固定筒に対して該固定筒の光軸を中心とした回転が規制されている第１の可動筒と、
前記第２のマウント爪部が設けられ、前記光軸を中心に回転可能であり、前記第１の可動筒と螺合する第２の可動筒と、を備え、
前記光軸を中心に前記第２の可動筒を回転させたときに前記第１の可動筒が前記光軸方向に移動することを特徴とする請求項１に記載のアダプタ装置。
【請求項９】
当て面と、凸部と、を有する規制部材を備え、
前記規制部材は、前記当て面が前記第２の機器によって光軸方向に押下されたときに前記凸部が前記第１のマウント爪部の近傍において前記第１の可動筒から突出することで、前記第１のマウント面に対する前記第１の機器の当接を防止することを特徴とする請求項８に記載のアダプタ装置。
【請求項１０】
前記第２の可動筒に固定された操作部材と、
前記操作部材に対して回動可能に保持された操作補助部材と、を備え、
前記固定筒は、前記操作補助部材と係合する操作溝部を有し、
前記操作部材に対して前記操作補助部材を回動させた状態で前記操作部材を回動させたときに、前記操作補助部材が前記操作溝部の端に当接することで前記操作部材の回動を規制することを特徴とする請求項８又は９に記載のアダプタ装置。
【請求項１１】
前記第１の機器の電気接点部と電気的に接続される第１の電気接点部と、前記第２の機器の電気接点部と電気的に接続される第２の電気接点部と、該第１の電気接点部と該第２の電気接点部とを電気的に接続する電気配線部とを備える電気接点部材を備え、
前記第１の電気接点部が前記第１の可動筒に固定されていることを特徴とする請求項８乃至１０のいずれか１項に記載のアダプタ装置。
【請求項１２】
前記可動筒は、
前記第１のマウント爪部が設けられ、前記固定筒に対して該固定筒の光軸を中心とした回転が規制されている第１の可動筒と、
前記第２のマウント爪部が設けられ、前記固定筒に対して該固定筒の光軸を中心とした回転が規制されている第２の可動筒と、を備え、
前記第１の可動筒と螺合すると共に前記第２の可動筒と係合し、前記光軸を中心に回転自在な環状部材を備え、
前記光軸を中心に前記環状部材を回転させることにより前記第１の可動筒と前記第２の可動筒が前記光軸方向に移動することを特徴とする請求項１に記載のアダプタ装置。
【請求項１３】
前記可動筒は、
前記第１のマウント爪部が設けられ、前記固定筒の光軸を中心として回転可能に前記固定筒と螺合している第１の可動筒と、
前記第２のマウント爪部が設けられ、前記固定筒の光軸を中心として回転可能に前記固定筒と螺合している第２の可動筒と、を備え、
前記第１の可動筒に取り付けられた第１の操作部材と、前記第２の可動筒に取り付けられた第２の操作部材と、を更に備えることを特徴とする請求項１に記載のアダプタ装置。
【請求項１４】
撮像装置本体とレンズ鏡筒とがアダプタ装置を介して結合される撮像装置であって、
アダプタ装置は、
前記撮像装置本体と当接する第１のマウント面と、前記レンズ鏡筒と当接する第２のマウント面とを有する固定筒と、
第１のマウント爪部と第２のマウント爪部とを有し、前記固定筒の光軸方向に移動可能な可動筒と、を備え、
前記撮像装置本体は、
前記第１のマウント面と当接する本体側マウント面を有する固定マウント部材と、
前記第１のマウント爪部と係合する本体側マウント爪部を有し、前記固定筒の光軸を中心にして回転可能に前記固定マウント部材に螺合する可動マウント部材と、を備え、
前記レンズ鏡筒は、
前記第２のマウント面と当接するレンズ側マウント面と、
前記第２のマウント爪部と係合するレンズ側マウント爪部と、を備え、
前記レンズ側マウント爪部と前記第２のマウント爪部とが係合した状態で前記可動マウント部材を回転させると、前記第１のマウント爪部と前記本体側マウント爪部が圧接係合するように前記可動筒が前記光軸方向へ移動し、前記第２のマウント爪部が前記レンズ側マウント爪部を前記撮像装置本体へ向けて引き込むことで前記第２のマウント爪部と前記レンズ側マウント爪部とが圧接係合することを特徴とする撮像装置。
【請求項１５】
撮像装置本体とレンズ鏡筒とがアダプタ装置を介して結合される撮像装置であって、
アダプタ装置は、
第１のマウント面と第２のマウント面とを有する固定筒と、
第１のマウント爪部を有し、前記固定筒の光軸方向に移動可能な第１の可動筒と、
第２のマウント爪部を有し、前記第１の可動筒と螺合し、前記固定筒の光軸を中心にして回転可能で、前記光軸方向に移動可能な第２の可動筒と、を備え、
前記撮像装置本体は、
前記第１のマウント面と当接する本体側マウント面と、
前記第１のマウント爪部と係合する本体側マウント爪部と、を備え、
前記レンズ鏡筒は、
前記第２のマウント面と当接するレンズ側マウント面と、
前記第２のマウント爪部と係合するレンズ側マウント爪部と、を備え、
前記本体側マウント爪部と前記第１のマウント爪部とが係合した状態で前記第２の可動筒を回転させて前記第２の可動筒を前記光軸方向へ移動させることにより前記第２のマウント爪部と前記レンズ側マウント爪部を圧接係合させたときに、前記第１の可動筒が前記光軸方向へ移動して前記第１のマウント爪部が前記本体側マウント爪部を前記レンズ鏡筒へ向けて引き込むことで前記第１のマウント爪部と前記本体側マウント爪部とが圧接係合することを特徴とする撮像装置。
【請求項１６】
撮像装置本体とレンズ鏡筒とがアダプタ装置を介して結合される撮像装置であって、
アダプタ装置は、
第１のマウント面と第２のマウント面とを有する固定筒と、
第１のマウント爪部を有し、前記固定筒の光軸方向に移動可能で、前記固定筒の光軸を中心とした回転が規制されている第１の可動筒と、
第２のマウント爪部を有し、前記光軸方向に移動可能で、前記光軸を中心とした回転が規制されている第２の可動筒と、
前記第１の可動筒と螺合すると共に前記第２の可動筒と係合し、前記光軸方向に移動可能で、前記光軸を中心にして回転自在な環状部材と、を備え、
前記撮像装置本体は、
前記第１のマウント面と当接する本体側マウント面と、
前記第１のマウント爪部と係合する本体側マウント爪部と、を備え、
前記レンズ鏡筒は、
前記第２のマウント面と当接するレンズ側マウント面と、
前記第２のマウント爪部と係合するレンズ側マウント爪部と、を備え、
前記本体側マウント爪部と前記第１のマウント爪部とが係合すると共に前記第２のマウント爪部と前記レンズ側マウント爪部とが係合した状態で前記環状部材を回転させて前記環状部材を前記光軸方向に移動させることにより前記第１の可動筒と前記第２の可動筒を前記光軸方向に移動させたときに、前記第１のマウント爪部が前記本体側マウント爪部を前記レンズ鏡筒へ向けて引き込んで前記第１のマウント爪部と前記本体側マウント爪部とが圧接係合すると共に前記第２のマウント爪部が前記レンズ側マウント爪部を前記撮像装置本体へ向けて引き込んで前記第２のマウント爪部と前記レンズ側マウント爪部とが圧接係合することを特徴とする撮像装置。
【請求項１７】
撮像装置本体とレンズ鏡筒とがアダプタ装置を介して結合される撮像装置であって、
アダプタ装置は、
第１のマウント面と第２のマウント面とを有する固定筒と、
第１のマウント爪部を有し、前記固定筒の光軸方向に移動可能で、前記固定筒の光軸を中心として回転可能な第１の可動筒と、
第２のマウント爪部を有し、前記光軸方向に移動可能で、前記光軸を中心として回転可能な第２の可動筒と、を備え、
前記撮像装置本体は、
前記第１のマウント面と当接する本体側マウント面と、
前記第１のマウント爪部と係合する本体側マウント爪部と、を備え、
前記レンズ鏡筒は、
前記第２のマウント面と当接するレンズ側マウント面と、
前記第２のマウント爪部と係合するレンズ側マウント爪部と、を備え、
前記本体側マウント爪部と前記第１のマウント爪部とが係合した状態で前記第１の可動筒を回転させて前記第１の可動筒を前記光軸方向に移動させたときに、前記第１のマウント爪部が前記本体側マウント爪部を前記レンズ鏡筒に向けて引き込むことで前記第１のマウント爪部と前記本体側マウント爪部とが圧接係合し、
前記レンズ側マウント爪部と前記第２のマウント爪部とが係合した状態で前記第２の可動筒を回転させて前記第２の可動筒を前記光軸方向に移動させたときに、前記第２のマウント爪部が前記レンズ側マウント爪部を前記撮像装置本体に向けて引き込むことで前記第２のマウント爪部と前記レンズ側マウント爪部とが圧接係合することを特徴とする撮像装置。
【請求項１８】
撮像装置本体の本体側マウント爪部とアダプタ装置との第１のマウント爪部との結合および前記アダプタ装置の第２のマウント爪部とレンズ鏡筒のレンズ側マウント爪部との結合の一方の結合がバヨネット式マウントにより行われ、他方の結合がねじ式マウントにより行われる撮像装置であって、
前記アダプタ装置は、
固定筒と、
前記固定筒に対して光軸方向に移動可能に係合し、前記光軸方向の一方の端部に前記第１のマウント爪部が設けられ、他方の端部に前記第２のマウント爪部が設けられた可動筒と、を備え、
前記バヨネット式マウントにより結合された爪部の間の前記光軸方向での隙間が、前記ねじ式マウントによる爪部の結合が行われた際になくなるように前記可動筒が前記光軸方向に移動することを特徴とする撮像装置。
【発明の詳細な説明】
【技術分野】
【０００１】
本発明は、撮像装置や撮像装置用アクセサリと結合されるアダプタ装置及び撮像装置に関する。
【背景技術】
【０００２】
交換レンズ等のカメラアクセサリをデジタルカメラ等の撮像装置本体（以下「カメラボディ」という）に着脱可能な、所謂、交換レンズ式の撮像装置が知られている。交換レンズ式の撮像装置では、カメラボディ及びカメラアクセサリの双方がバヨネット結合型のマウントを備えた、所謂、バヨネット結合方式を採用していることが一般的である。通常、バヨネット結合方式では、カメラアクセサリのマウント部とカメラボディのマウント部とが相対的に回転可能であり、回転によりカメラアクセサリ側の爪部とカメラボディ側の爪部とが光軸方向において係合する。そして、爪部同士が係合した状態でカメラボディの内部に設けられたばねの力により、光軸方向と略平行な方向にカメラアクセサリ側の爪部がカメラボディ側へ向けて引き込まれる。こうして、カメラボディとカメラアクセサリとを互いに結合させている。
【０００３】
バヨネット結合方式を採用することによって、カメラボディに対するカメラアクセサリの着脱を容易に行うことができるが、ばねの引き込み力よりも大きな力がカメラアクセサリに作用すると、カメラボディとカメラアクセサリの間にガタつきが発生してしまう。そこで、特許文献１は、カメラボディに設けられたバヨネット結合方式マウントを固定マウント部と可動マウント部とに分け、カメラアクセサリに対して可動マウント部を回転させることによりカメラアクセサリをカメラボディに引き込む構造を提案している。この技術を採用することで、カメラボディとカメラアクセサリの間に生じるガタつきを低減することができる。
【先行技術文献】
【特許文献】
【０００４】
【特許文献１】特開２０１３−２１８１４９号公報
【発明の概要】
【発明が解決しようとする課題】
【０００５】
ところで、交換レンズ式の撮像装置では、カメラボディへの直接結合に対応しないカメラアクセサリを使用可能とするために、カメラボディとカメラアクセサリの間に配置されてカメラボディとカメラアクセサリを結合するアダプタ装置が知られている。このようなアダプタ装置を用いることにより、例えば、あるフランジバックを有するカメラボディに対応した交換レンズを他のフランジバックを有するカメラボディに装着することが可能になる。また、アダプタ装置としては、直接接続が可能なカメラボディとカメラアクセサリの間に配置されて、機能を拡張させるものも知られている。
【０００６】
しかしながら、バヨネット結合方式を採用したカメラボディとカメラアクセサリの間にアダプタ装置を介在させる場合、以下のような問題がある。例えば、カメラボディとアダプタ装置の一方の側面との結合部及びカメラアクセサリとアダプタ装置の他方の側面の結合部の計２カ所でのバヨネット結合が必要となる。よって、アダプタ装置を介してカメラボディとカメラアクセサリを結合させた場合、カメラボディとカメラアクセサリを直接結合させた場合よりも、カメラボディに対するカメラアクセサリのガタつきが大きくなってしまう。
【０００７】
この問題に対して、特許文献１には、撮像装置本体にアダプタ装置が装着可能な構成について言及されていない。したがって、特許文献１に記載されている技術では、アダプタ装置を用いてカメラボディとカメラアクセサリとを結合させた場合に、少なくともアダプタ装置とカメラアクセサリの間に生じるガタつきを効果的に低減することはできないと考えられる。
【０００８】
本発明は、カメラボディとカメラアクセサリとをアダプタ装置を介してガタつきなく結合させることができる可能なアダプタ装置を提供することを目的とする。
【課題を解決するための手段】
【０００９】
本発明に係るアダプタ装置は、固定筒と、該固定筒と係合し且つ該固定筒に対して該固定筒の光軸方向に移動可能な可動筒とを備えるアダプタ装置であって、前記固定筒は、第１の機器と当接する第１のマウント面と、第２の機器と当接する第２のマウント面と、を有し、前記可動筒は、前記第１の機器のマウント爪部と係合する第１のマウント爪部と、前記第２の機器のマウント爪部と係合する第２のマウント爪部と、を有することを特徴とする。
【発明の効果】
【００１０】
本発明によれば、カメラボディとカメラアクセサリとをアダプタ装置を介してガタつきなく結合させることができる。
【図面の簡単な説明】
【００１１】
【図１】本発明の第１実施形態に係る撮像装置の外観斜視図とカメラボディの分解斜視図である。
【図２】交換レンズを背面側から見た斜視図である。
【図３】レンズマウントの分解斜視図である。
【図４】レンズマウントに交換レンズを取り付ける過程を示す背面図である。
【図５】図４に対応する断面図である。
【図６】マウントアダプタの分解斜視図である。
【図７】マウントアダプタの断面図である。
【図８】マウントアダプタを介してカメラボディに交換レンズを取り付ける前の配置を示す分解斜視図である。
【図９】マウントアダプタに交換レンズを取り付ける過程を示す断面図である。
【図１０】交換レンズが結合されたマウントアダプタをカメラボディに装着する過程を示す斜視図である。
【図１１】図１０の各図に対応する、光軸を含む面での断面図である。
【図１２】マウントアダプタの誤操作を防止する主な部品を説明する斜視図である。
【図１３】本発明の第２実施形態に係る撮像装置の分解斜視図と、交換レンズを背面側から見た斜視図である。
【図１４】マウントアダプタの分解斜視図である。
【図１５】マウントアダプタの断面図である。
【図１６】マウントアダプタに交換レンズを結合させる過程を示す斜視図である。
【図１７】交換レンズが結合されたマウントアダプタをカメラボディに結合させる過程を示す斜視図である。
【図１８】図１７の各図に対応する、光軸を含む面での断面図である。
【図１９】本発明の第３実施形態に係る撮像装置の分解斜視図と、カメラボディの分解斜視図である。
【図２０】レンズマウントの分解斜視図である。
【図２１】交換レンズをレンズマウントに結合させる過程を示す斜視図である。
【図２２】図２１の各図に対応する、光軸を含む面での断面図である。
【図２３】マウントアダプタの分解斜視図である。
【図２４】マウントアダプタの断面図である。
【図２５】規制部材の斜視図である。
【図２６】マウントアダプタをカメラボディに結合させる過程を示す斜視図である。
【図２７】カメラボディに結合しているマウントアダプタに対して交換レンズを結合させる過程を示す斜視図である。
【図２８】図２７の各図に対応する、光軸を含む面での断面図である。
【図２９】マウントアダプタからの交換レンズ２００の脱落を防止する機構を説明する斜視図である。
【図３０】マウントアダプタでの誤操作を防止する主な部品を示す斜視図である。
【図３１】本発明の第４実施形態に係る撮像装置の分解斜視図である。
【図３２】マウントアダプタの分解斜視図である。
【図３３】マウントアダプタの断面図である。
【図３４】カメラボディに結合されたマウントアダプタに対して交換レンズを結合させる過程を示す斜視図である。
【図３５】図３４の各図に対応する、光軸を含む面での断面図である。
【図３６】本発明の第５実施形態に係る撮像装置の分解斜視図である。
【図３７】マウントアダプタの分解斜視図である。
【図３８】マウントアダプタの、光軸を含む面での断面図である。
【図３９】マウントアダプタの、光軸と直交する面での断面図である。
【図４０】カメラボディ、マウントアダプタ及び交換レンズを結合させる過程を示す斜視図である。
【図４１】図４０の各図に対応する、光軸を含む面での断面図である。
【図４２】本発明の第６実施形態に係る撮像装置の外観斜視図である。
【図４３】マウントアダプタの分解斜視図である。
【図４４】マウントアダプタの、光軸を含む面での断面図である。
【図４５】マウントアダプタをカメラボディに結合させる過程を示す斜視図である。
【図４６】図４５の各図に対応する、光軸を含む面での断面図である。
【図４７】カメラボディに結合されたマウントアダプタに交換レンズを結合させる過程を示す図である。
【図４８】図４７の各図に対応する、光軸を含む面での断面図である。
【発明を実施するための形態】
【００１２】
以下、本発明の実施形態について、添付図面を参照して詳細に説明する。以下の実施形態では、少なくとも「カメラボディ（撮像装置本体）」と「交換レンズ（レンズ鏡筒）」とを備えたものを「撮像装置」と称呼することとする。
【００１３】
＜第１実施形態＞
図１（ａ）は、本発明の第１実施形態に係る撮像装置１００の外観斜視図である。図１（ｂ）は、撮像装置１００を構成する撮像装置本体であるカメラボディ１１０の概略構成を示す分解斜視図である。撮像装置１００は、カメラボディ１１０、マウントアダプタ４００及び交換レンズ２００を備える。第１の機器であるカメラボディ１１０と第２の機器である交換レンズ２００は、アダプタ装置であるマウントアダプタ４００を介して結合可能となっている。
【００１４】
撮像装置本体であるカメラボディ１１０は、筐体１４０、固定部材１２０、電気接点部材１３０及びレンズマウント３００を備える。カメラボディ１１０の外装部である筐体１４０の内部には、ＣＭＯＳセンサ等の不図示の撮像素子が設けられている。固定部材１２０は筐体１４０に固定され、電気接点部材１３０とレンズマウント３００は固定部材１２０に固定される。
【００１５】
図２は、交換レンズ２００を背面側から見た斜視図である。カメラアクセサリの一例である交換レンズ２００は、マウント部２１０及び電気接点部２２０を備える。マウント部２１０は、マウント面２３０（レンズ側マウント面）、マウント爪部２４０ａ〜ｃ（レンズ側マウント爪部）、円筒軸部２５０及び回転止め凹部２６０を備える。
【００１６】
図３は、レンズマウント３００の分解斜視図である。図３（ａ）と図３（ｂ）の違いは、レンズマウント３００を見ている方向の違いである。レンズマウント３００は、固定マウント部材３１０、可動マウント部材３２０及び操作部材３５０を備える。固定マウント部材３１０は、マウント面３１１（本体側マウント面）、雄ねじ部３１３、円筒穴部３１４及び回転止め凸部３１５を備える。固定マウント部材３１０は、固定部材１２０（図２参照）に固定される。可動マウント部材３２０は、マウント爪部３２１ａ〜ｃ（本体側マウント爪部）及び雌ねじ部３２３を備える。雌ねじ部３２３は、固定マウント部材３１０の雄ねじ部３１３と螺合する。操作部材３５０は、抓み部３５１を備えており、可動マウント部材３２０に固定される。抓み部３５１を回動させることにより、固定マウント部材３１０に対して相対的に可動マウント部材３２０を回転させることができる。
【００１７】
まず、カメラボディ１１０に交換レンズ２００を直接結合させる形態について説明する。図４は、レンズマウント３００に交換レンズ２００を結合させる過程を示す背面図（カメラボディ１１０側から見た図）である。図５は、図４に対応する断面図であり、光軸を含む断面で示している。
【００１８】
図４（ａ）及び図５（ａ）は、交換レンズ２００をレンズマウント３００に対して当接させた状態を示している。この状態では、レンズマウント３００の回転止め凸部３１５が交換レンズ２００の回転止め凹部２６０に係合し、交換レンズ２００の円筒軸部２５０とレンズマウント３００の円筒穴部３１４とが係合している。そして、交換レンズ２００のマウント面２３０とレンズマウント３００のマウント面３１１とが当接しており、このとき、交換レンズ２００のマウント爪部２４０ａ〜ｃとレンズマウント３００のマウント爪部３２１ａ〜ｃとは、光軸投影上で重なり合っていない。
【００１９】
図４（ｂ）及び図５（ｂ）は、交換レンズ２００をレンズマウント３００に結合させる途中の状態（中間状態）を示している。レンズマウント３００の抓み部３５１をレンズマウント３００の背面側（カメラボディ１１０との結合面側）から見て光軸を中心に時計まわり方向に回動させる。これにより、レンズマウント３００の可動マウント部材３２０が光軸を中心に回転し、これと同時にレンズマウント３００の可動マウント部材３２０が光軸方向を背面側に向かって移動する。これにより、交換レンズ２００のマウント爪部２４０ａ〜ｃとレンズマウント３００のマウント爪部３２１ａ〜ｃとが光軸投影上で重なり始める。このとき、図５（ｂ）に示すように、レンズマウント３００のマウント爪部３２１ｂと交換レンズ２００のマウント爪部２４０ｂとの間には隙間が存在する。同様に、マウント爪部３２１ａとマウント爪部２４０ａとの間及びマウント爪部３２１ｃとマウント爪部２４０ｃとの間にも隙間が存在する。よって、図４（ｂ）及び図５（ｂ）に示す状態では、交換レンズ２００とレンズマウント３００の間には、この隙間の大きさだけ、ガタつきが存在する。
【００２０】
図４（ｃ）及び図５（ｃ）は、交換レンズ２００とレンズマウント３００との結合が完了した状態を示している。図４（ｂ）及び図５（ｂ）の状態から更にレンズマウント３００の抓み部３５１をレンズマウント３００の背面側から見て光軸を中心に時計まわり方向に回動させる。これにより、図５（ｃ）に示すように、レンズマウント３００のマウント爪部３２１ｂと交換レンズ２００のマウント爪部２４０ｂとが係合する。同様に、マウント爪部３２１ａとマウント爪部２４０ａとが係合し、マウント爪部３２１ｃとマウント爪部２４０ｃとが係合する。よって、マウント爪部３２１ａ〜ｃとマウント爪部２４０ａ〜ｃとの間には隙間が存在しない状態となる。つまり、可動マウント部材３２０を固定マウント部材３１０に対して回転させることにより発生するねじの締め付け力を利用して、交換レンズ２００はカメラボディ１１０側へ引き込まれる。こうして、交換レンズ２００は、レンズマウント３００に対してガタつきなく結合される。
【００２１】
交換レンズ２００とレンズマウント３００の間にガタつきがないことで、交換レンズ２００とカメラボディ１１０に一体感が得られ、撮像装置１００を一体化させることができ、これにより、撮影者は違和感なく撮像装置１００を操作することができる。なお、以上に述べた、第１実施形態での可動マウント部材３２０を回転させることでガタつきなく部材を結合させる構造を、以下の説明において「ねじ式マウント」と称呼する。
【００２２】
次に、アダプタ装置であるマウントアダプタ４００を介してカメラボディ１１０に交換レンズ２００を間接結合させる形態について説明する。図６は、マウントアダプタ４００の分解斜視図である。なお、図６（ａ）と図６（ｂ）との違いは、マウントアダプタ４００を見ている方向の違いである。図７は、マウントアダプタ４００の断面図である。図７（ａ）は、光軸を含む面での断面図である。図７（ｂ）は、後述するガイドピン４４０ａ〜ｄを含み、光軸と直交する面での断面図である。
【００２３】
マウントアダプタ４００は、固定筒４１０、可動筒４２０、ガイドピン４４０ａ〜ｄ、電気接点部材４５０、回転止め部材４６０、操作部材４６５、付勢部材４７０、規制部材４７５及び保護部材４８０を備える。固定筒４１０は、第１のマウント面４１１、第２のマウント面４１２、第１の係合穴部４１３、第２の係合穴部４１４、ガイド穴４１５ａ〜ｄ及び回転止め穴部４１６を備える。
【００２４】
可動筒４２０は、第１のマウント爪部４２１ａ〜ｃ、第２のマウント爪部４２２ａ〜ｃ、円筒軸部４２３及び円筒穴部４２４を備える。また、可動筒４２０は、第１の係合軸部４２５、第２の係合軸部４２６、回転止め凹部４２７、ねじ穴部４２８ａ〜ｄ及び切り欠き穴部４２９を備える。第１の係合軸部４２５は固定筒４１０の第１の係合穴部４１３と係合し、第２の係合軸部４２６は固定筒４１０の第２の係合穴部４１４と係合する。
【００２５】
ガイドピン４４０ａ〜ｄはそれぞれ、ねじ部４４１ａ〜ｄ及び当接部４４２ａ〜ｄを備える。ねじ部４４１ａ〜ｄはそれぞれ、可動筒４２０のねじ穴部４２８ａ〜ｄに締結される。当接部４４２ａ〜ｄはそれぞれ、固定筒４１０のガイド穴４１５ａ〜ｄと係合する。可動筒４２０は固定筒４１０に対して光軸方向に移動可能であるが、当接部４４２ａ〜ｄがガイド穴４１５ａ〜ｄにおける光軸と直交する面に当接することで、可動筒４２０が固定筒４１０に対して光軸方向に脱落することが防止される。そして、当接部４４２ａ〜ｄがガイド穴４１５ａ〜ｄにおける光軸と平行な面に当接することで、可動筒４２０が固定筒４１０に対して光軸を中心として回転することが防止される。
【００２６】
電気接点部材４５０は、第１の電気接点部４５１、第２の電気接点部４５２及び電気配線部４５３を備え、第１の電気接点部４５１と第２の電気接点部４５２は電気配線部４５３を介して電気的に接続されている。第１の電気接点部４５１は、可動筒４２０に固定される。回転止め部材４６０は、第１の凸部４６１、第２の凸部４６２、フランジ部４６３及び雄ねじ部４６４を備える。第１の凸部４６１は、固定筒４１０の回転止め穴部４１６と係合する。操作部材４６５は、操作部４６６及び雌ねじ部４６７を備える。雌ねじ部４６７は、回転止め部材４６０の雄ねじ部４６４と螺合する。
【００２７】
付勢部材４７０は、圧縮ばねである。付勢部材４７０は、回転止め部材４６０の第２の凸部４６２と係合して、回転止め部材４６０を第２のマウント面４１２から突出させる方向に付勢する。規制部材４７５は、凸部４７６（第１の当て部）、当て面４７７（第２の当て部）及び摺動部４７８を備える。凸部４７６は、可動筒４２０の切り欠き穴部４２９と係合する。保護部材４８０は、摺動面４８１を備える。保護部材４８０は固定筒４１０に固定され、保護部材４８０には第２の電気接点部４５２が固定される。摺動面４８１は、規制部材４７５の摺動部４７８と摺動する。
【００２８】
次に、マウントアダプタ４００と交換レンズ２００の結合形態について説明する。図８は、マウントアダプタ４００を介してカメラボディ１１０に交換レンズ２００を結合させる前の配置を示す分解斜視図である。図８（ａ）と図８（ｂ）との違いは、マウントアダプタ４００を見ている方向の違いである。
【００２９】
図９は、マウントアダプタ４００に交換レンズ２００を結合させる過程を示す断面図である。図９（ａ）は交換レンズ２００をマウントアダプタ４００に対して当接させた状態を示している。交換レンズ２００のマウント爪部２４０ａをマウントアダプタ４００の第２のマウント爪部４２２ａ，４２２ｃ間に落とし込む。続いて、交換レンズ２００の円筒軸部２５０とマウントアダプタ４００の円筒穴部４２４とを係合させる。そして、交換レンズ２００のマウント面２３０とマウントアダプタ４００の第２のマウント面４１２とを当接させる。このとき、マウントアダプタ４００の回転止め部材４６０の第１の凸部４６１の先端がマウント面２３０により第２のマウント面４１２に向かって光軸方向に押下される。この状態では、交換レンズ２００のマウント爪部２４０ａ〜ｃとマウントアダプタ４００の第２のマウント爪部４２２ａ〜ｃとは、光軸投影上で重なり合っていない。
【００３０】
図９（ｂ）は、マウントアダプタ４００と交換レンズ２００との結合が完了した状態を示している。図９（ｂ）は、図９（ａ）の状態から、マウントアダプタ４００に対して交換レンズ２００をマウントアダプタ４００の正面（交換レンズ２００側）から見て光軸を中心に時計まわり方向に所定の角度だけ回転させた状態である。図９（ｂ）の状態では、交換レンズ２００の回転止め凹部２６０にマウントアダプタ４００の第１の凸部４６１が係合している。そして、交換レンズ２００のマウント爪部２４０ａ〜ｃとマウントアダプタ４００の第２のマウント爪部４２２ａ〜ｃとが光軸投影上で重なり合っているため、交換レンズ２００はマウントアダプタ４００に保持されている。しかし、図９（ｂ）に示すように、マウント爪部２４０ａ〜ｃと第２のマウント爪部４２２ａ〜ｃとの間には光軸方向に隙間が存在しており、この隙間の分だけ交換レンズ２００とマウントアダプタ４００の間にはガタつきが生じている。なお、以上に述べた、交換レンズ２００を回転させることでガタつきをもって部材を結合させる構造を、以下の説明において「バヨネット式マウント」と称呼する。
【００３１】
本実施形態では、交換レンズ２００とマウントアダプタ４００の間にガタつきが生じている状態でマウントアダプタ４００をカメラボディ１１０に結合させた際に、交換レンズ２００とマウントアダプタ４００の間のガタつきをなくす。続いて、上述の通りに交換レンズ２００が結合されたマウントアダプタ４００とカメラボディ１１０の結合形態について説明する。
【００３２】
図１０は、交換レンズ２００が結合されたマウントアダプタ４００をカメラボディ１１０に結合させる過程を示す斜視図である。図１１は、図１０の各図に対応する、光軸を含む面での断面図である。マウントアダプタ４００は、カメラボディ１１０に対して、先に説明したねじ式マウントで着脱される。
【００３３】
図１０（ａ）及び図１１（ａ）は、交換レンズ２００が結合しているマウントアダプタ４００をカメラボディ１１０に当接させた状態を示している。この状態では、前述したように、マウントアダプタ４００の可動筒４２０の第２のマウント爪部４２２ａ〜ｃと交換レンズ２００のマウント爪部２４０ａ〜ｃの間には、光軸方向に隙間が生じている。そのため、マウントアダプタ４００において、第２のマウント爪部４２２ａ〜ｃは固定筒４１０に対して光軸方向に移動可能となっている。
【００３４】
図１０（ｂ）及び図１１（ｂ）は、交換レンズ２００が結合されたマウントアダプタ４００をカメラボディ１１０に結合させる途中の状態を示している。レンズマウント３００の抓み部３５１を、レンズマウント３００の正面側（交換レンズ２００側）から見て光軸を中心に反時計まわり方向に回動させる。これにより、図１１（ｂ）に示すように、レンズマウント３００のマウント爪部３２１ｂとマウントアダプタ４００の可動筒４２０の一方の端部に設けられた第１のマウント爪部４２１ｂとが係合する。同様に、マウント爪部３２１ａ，３２１ｃがそれぞれ、第１のマウント爪部４２１ａ，４２１ｃと係合する。この時点では、マウントアダプタ４００の可動筒４２０の他方の端部に設けられた第２のマウント爪部４２２ａ〜ｃと交換レンズ２００のマウント爪部２４０ａ〜ｃとの間には光軸方向に隙間が生じたままである。よって、可動筒４２０の第２のマウント爪部４２２ａ〜ｃは、固定筒４１０に対して光軸方向に移動可能である。このことは、レンズマウント３００のマウント爪部３２１ａ〜ｃとマウントアダプタ４００の第１のマウント爪部４２１ａ〜ｃとの間に隙間が存在することを意味する。つまり、図１０（ｂ）及び図１１（ｂ）の状態では、交換レンズ２００とマウントアダプタ４００の間及びとマウントアダプタ４００とカメラボディ１１０の間の両方にガタつきが生じている。
【００３５】
図１０（ｃ）及び図１１（ｃ）は、交換レンズ２００が結合されたマウントアダプタ４００とカメラボディ１１０との結合が完了した状態を示している。抓み部３５１を交換レンズ２００側から見て光軸を中心に反時計まわり方向に更に回動させる。すると、マウントアダプタ４００の可動筒４２０がカメラボディ１１０側に引き込まれ、マウント爪部２４０ａ〜ｃと第２のマウント爪部４２２ａ〜ｃが圧接して係合した状態（以下「圧接係合」と称呼する）となる。
【００３６】
こうして発生するマウントアダプタ４００の締め付け力により、以下の第１乃至第５の部位が圧接される。第１の部位は、レンズマウント３００の固定マウント部材３１０のマウント面３１１とマウントアダプタ４００の固定筒４１０の第１のマウント面４１１との当接部である。第２の部位は、マウントアダプタ４００の固定筒４１０の第２のマウント面４１２と交換レンズ２００のマウント面２３０との当接部である。第３の部位は、交換レンズ２００のマウント爪部２４０ｂとマウントアダプタ４００の可動筒４２０の第２のマウント爪部４２２ｂとの係合部である。第４の部位は、マウントアダプタ４００の可動筒４２０の第１のマウント爪部４２１ｂとレンズマウント３００の可動マウント部材３２０のマウント爪部３２１ｂとの係合部である。第５の部位は、レンズマウント３００における可動マウント部材３２０の雌ねじ部３２３と固定マウント部材３１０の雄ねじ部３１３との螺合部である。
【００３７】
つまり、固定マウント部材３１０のマウント面３１１を基準として、可動マウント部材３２０のマウント爪部３２１ａ〜ｃが、可動筒４２０の第１のマウント爪部４２１ａ〜ｃをカメラボディ１１０側に引き込む。これに連動して、可動筒４２０の第２のマウント爪部４２２ａ〜ｃが、交換レンズ２００のマウント爪部２４０ａ〜ｃをカメラボディ１１０側に引き込む。このとき、固定筒４１０が交換レンズ２００とカメラボディ１１０の間のスペーサとして作用する。こうして、可動マウント部材３２０を固定マウント部材３１０に対して回転させることで発生するねじの締め付け力が、マウントアダプタ４００を介して交換レンズ２００に伝達される。その結果、カメラボディ１１０、マウントアダプタ４００及び交換レンズ２００がガタつきなく結合される。
【００３８】
マウントアダプタ４００は、結合される機器間のガタつきをなくすだけでなく、精度が求められる部品点数が少ないという特徴を備え、以下にこの特徴について説明する。
【００３９】
交換レンズ２００から入射した光は、マウントアダプタ４００を通過してカメラボディ１１０に設けられた撮像素子（不図示）に結像する。その際、撮像素子から交換レンズ２００までの光軸方向距離が変動すると、交換レンズ２００の光学性能が不十分な状態で撮像素子に結像してしまい、所望の画像を得られない可能性がある。マウントアダプタ４００の光軸方向長さは、この光軸方向距離に影響を及ぼす。ここで、マウントアダプタ４００に対する接続面は、カメラボディ１１０ではレンズマウント３００のマウント面３１１であり、交換レンズ２００ではマウント面２３０であり、マウント面３１１とマウント面２３０の間に介在する部品は固定筒４１０だけである。よって、カメラボディ１１０から交換レンズ２００までの光軸方向距離は固定筒４１０にのみ依存するため、マウントアダプタ４００を用いることによって精度が必要な部品点数を抑えることができる。また、固定筒４１０の第１のマウント面４１１から第２のマウント面４１２までの距離だけが、その光軸方向距離に影響を及ぼすため、精度が必要な部位を少なくすることができる。こうして、マウントアダプタ４００では、光軸方向での距離が部品ごとにばらつき難く、品質管理が容易となる。
【００４０】
また、交換レンズ２００の光軸とカメラボディ１１０の光軸にずれが生じてしまうと、交換レンズ２００の結像範囲がカメラボディ１１０の結像範囲と合わなくなり、撮影した画像に、所謂、ケラレが発生してしまう可能性がある。よって、交換レンズ２００の光軸とカメラボディ１１０の光軸とは同一線上にあることが望ましい。マウントアダプタ４００に対する接続面のうち光軸のずれに影響するのは、カメラボディ１１０は円筒穴部３１４であり、交換レンズ２００は円筒軸部２５０である。マウントアダプタ４００において円筒穴部３１４と円筒軸部２５０の間に介在する部品は可動筒４２０だけであるため、交換レンズ２００の光軸とカメラボディ１１０の光軸とのずれは可動筒４２０にのみ依存する。よって、精度が必要な部品点数を抑えることができる。また、可動筒４２０の円筒穴部３１４と係合する円筒軸部４２３と、円筒軸部２５０と係合する円筒穴部４２４の同軸度だけが、交換レンズ２００の光軸とカメラボディ１１０の光軸とのずれに影響を及ぼす。そのため、可動筒４２０において精度が必要な部位を少なくすることができる。以上の通りに、マウントアダプタ４００では、光軸のずれが部品ごとにばらつき難く、品質管理が容易となる。
【００４１】
これらの効果が得られることで、マウントアダプタ４００が交換レンズ２００とカメラボディ１１０とを結合させる役割以外に光学的な機能を拡張させる役割を担っている場合には、その機能を十二分に発揮させることが可能になる。この効果は、後述する第１乃至第６実施形態でも同様に得ることができる。
【００４２】
続いて、マウントアダプタ４００の誤操作防止について述べる。仮に、カメラボディ１１０、マウントアダプタ４００及び交換レンズが図１０（ｃ）及び図１１（ｃ）の状態の通りに結合した状態で交換レンズ２００の取り外し操作を行おうとしたとする。その場合、交換レンズ２００のマウント爪部２４０ａ〜ｃとマウントアダプタ４００の第２のマウント爪部４２２ａ〜ｃが摩耗して、耐久性能が低下するおそれがある。そのため、マウントアダプタ４００とカメラボディ１１０の結合よりも先にマウントアダプタ４００と交換レンズ２００を結合させる必要がある。そして、マウントアダプタ４００と交換レンズ２００との結合解除よりも先にマウントアダプタ４００とカメラボディ１１０との結合解除を行う必要がある。つまり、レンズマウント３００のねじ式マウントを、結合時には最後に操作し、結合解除時には最初に操作する必要があり、このような操作手順をユーザに促す必要がある。
【００４３】
そこで、マウントアダプタ４００では、次の通りの構成としている。すなわち、カメラボディ１１０とマウントアダプタ４００がねじ式マウントで結合している状態において、交換レンズ２００をバヨネット式マウントで結合させようとする。その場合、ねじ式マウントによりマウントアダプタ４００の可動筒４２０が既にカメラボディ１１０側に引き込まれている。そのため、図１１（ａ）に示すマウント面２３０からマウント爪部２４０ａ〜ｃまでの距離Ｌｓは、同じく図１１（ａ）に示す第２のマウント面４１２から第２のマウント爪部４２２ａ〜ｃまでの距離Ｌｌよりも短くなってしまう。よって、マウントアダプタ４００に当接させた交換レンズ２００を回転させようとすると、マウント爪部２４０ａ〜ｃの端が第２のマウント爪部４２２ａ〜ｃの端に当接し、回転させることができない。このようにして、マウントアダプタ４００がカメラボディ１１０に結合している状態では交換レンズ２００をマウントアダプタ４００に結合させることができなくなっており、その結果、ユーザに正しい順序の操作を促すことができる。
【００４４】
図１２は、マウントアダプタ４００での誤操作防止のための主な部品を抽出した斜視図である。誤操作防止機構は、可動マウント部材３２０、規制部材４７５及び回転止め部材４６０によって構成されている。例えば、マウントアダプタ４００を介してカメラボディ１１０と交換レンズ２００とが正常に結合している状態で交換レンズ２００を取り外そうとする。しかし、レンズマウント３００のマウント爪部３２１ａが規制部材４７５の凸部４７６を交換レンズ２００に向かって押下しており、規制部材４７５の当て面４７７が回転止め部材４６０の第２の凸部４６２の先端と当接している。したがって、回転止め部材４６０をマウントアダプタ４００の第２のマウント面４１２に対して押下することができないため、操作部材４６５（図１０（ｃ）参照）も操作不能である。
【００４５】
マウントアダプタ４００から交換レンズ２００を取り外すためには、操作部材４６５を操作して回転止め凹部２６０（図８（ｂ）参照）と第１の凸部４６１との係合を解除する必要がある。しかし、上記の構造により、カメラボディ１１０とマウントアダプタ４００が結合した状態では、マウントアダプタ４００から交換レンズ２００を取り外すことを防ぐことができる。これにより、ユーザに正しい順序での操作を促すことが可能となる。
【００４６】
なお、本実施形態では、カメラボディ１１０（レンズマウント３００）に設けたねじ式マウントによりマウントアダプタ４００を介して交換レンズ２００をガタつきなくカメラボディ１１０に結合させる構成について説明した。但し、ねじ式マウントは、必ずしもカメラボディ１１０に設けられている必要はなく、交換レンズ２００に設けられていてもよい。また、ねじ式マウントは、マウントアダプタ４００、交換レンズ２００及びカメラボディ１１０のうちの１つに限って設けることができるものではなく、例えば、交換レンズ２００とカメラボディ１１０の双方にねじ式マウントが設けられていてもよい。
【００４７】
＜第２実施形態＞
図１３（ａ）は、本発明の第２実施形態に係る撮像装置１００Ａの分解斜視図である。撮像装置１００Ａは、カメラボディ１１０、マウントアダプタ８００及び交換レンズ６００を備える。カメラボディ１１０は、第１実施形態で説明した撮像装置１００を構成するカメラボディ１１０と同じであるため、詳細な説明を省略する。図１３（ｂ）は、交換レンズ６００を背面側から見た斜視図である。交換レンズ６００はマウント部６１０を備え、マウント部６１０は、マウント面６３０（レンズ側マウント面）、マウント爪部６４０ａ〜ｄ（レンズ側マウント爪部）、円筒軸部６５０及び回転止め凹部６６０を備える。
【００４８】
図１４は、マウントアダプタ８００の分解斜視図である。図１４（ａ）と図１４（ｂ）との違いは、マウントアダプタ８００を見ている方向の違いである。図１５は、マウントアダプタ８００の断面図である。図１５（ａ）は、光軸を含む面での断面図である。また、図７（ｂ）は、光軸と直交する面での断面図である。マウントアダプタ８００は、固定筒８１０、可動筒８２０、外筒８４０、ガイドピン８５０ａ〜ｃ、回転止め部材８６０、操作部材８６５及び付勢部材８７０を備える。
【００４９】
固定筒８１０は、第１のマウント面８１１ａ〜ｃ、第２のマウント面８１２、係合穴部８１３、円筒穴部８１４、回転止め凹部８１５、切り欠き部８１６、ねじ穴部８１７ａ〜ｃ及び腕部８１８ａ〜ｃを備える。可動筒８２０は、第１のマウント爪部８２１ａ〜ｃ、第２のマウント爪部８２２ａ〜ｄ、回転溝部８２３ａ〜ｃ、円筒軸部８２４、第１の係合軸部８２５及び第２の係合軸部８２６を備える。回転溝部８２３ａ〜ｃはそれぞれ腕部８１８ａ〜ｃと係合し、第１の係合軸部８２５は係合穴部８１３と係合する。これらの係合から、可動筒８２０は、固定筒８１０に対して所定の範囲で、光軸を中心として回転可能であり、且つ、光軸方向に沿って摺動自在である。
【００５０】
外筒８４０は、ガイド穴８４１ａ〜ｃ、マウント面８４２及び係合穴部８４４を備える。係合穴部８４４は、可動筒８２０の第２の係合軸部８２６と係合し、これにより、外筒８４０は可動筒８２０に対して摺動自在、且つ、回転自在である。ガイドピン８５０ａ〜ｃはそれぞれ、ねじ部８５１ａ〜ｃ及び当接部８５２ａ〜ｃを備える。ねじ部８５１ａ〜ｃはそれぞれ、固定筒８１０に設けられたねじ穴部８１７ａ〜ｃに締結される。当接部８５２ａ〜ｃはそれぞれ、外筒８４０のガイド穴８４１ａ〜ｃと係合する。当接部８５２ａ〜ｃがガイド穴８４１ａ〜８４１ｃにおける光軸と直交する面に当接することで、外筒８４０が固定筒８１０から光軸方向に脱落することが防止される。これにより、可動筒８２０が固定筒８１０から光軸方向に脱落することを外筒８４０が防止する。また、当接部８５２ａ〜ｃがガイド穴８４１ａ〜ｃにおける光軸と平行な面に当接することで、固定筒８１０に対する外筒８４０の光軸を中心とした回転が防止される。
【００５１】
回転止め部材８６０は、固定筒８１０に固定される。操作部材８６５は、可動筒８２０に固定される。操作部材８６５は、操作部８６６、第１の凸部８６７及び第２の凸部８６８を備える。第１の凸部８６７は、固定筒８１０の切り欠き部８１６と係合する。付勢部材８７０は、圧縮ばねであり、操作部材８６５の第２の凸部８６８と係合して、第１の凸部８６７を第２のマウント面８１２に近付ける方向に付勢する。
【００５２】
図１６は、マウントアダプタ８００に交換レンズ６００を結合させる過程を示す斜視図である。交換レンズ６００はマウントアダプタ８００に対してバヨネット式マウントに類似した構造で結合する。図１６（ａ）は、操作部材８６５が付勢部材８７０による付勢力に抗して押下された状態を示している。この状態では、可動筒８２０は、固定筒８１０に対して回転可能である。図１６（ｂ）は、マウントアダプタ８００の第２のマウント面８１２と交換レンズ６００のマウント面６３０とが当接している状態を示しており、この状態では円筒穴部８１４と円筒軸部６５０が係合している（図１５（ａ）及び図１８（ａ）参照）。図１６（ｂ）の状態では、回転止め部材８６０と回転止め凹部６６０が係合しており、このとき、第２のマウント爪部８２２ａ〜ｄとマウント爪部６４０ａ〜ｄとは光軸投影上で重なり合っていない。
【００５３】
図１６（ｃ）は、操作部材８６５を操作して光軸を中心に可動筒８２０を回転させることで、操作部材８６５の第１の凸部８６７と固定筒８１０の切り欠き部８１６が係合した状態を示している。この状態では、第２のマウント爪部８２２ａ〜ｄとマウント爪部６４０ａ〜ｄが光軸投影上で重なり合っており、交換レンズ６００はマウントアダプタ８００に保持されている。但し、マウント爪部６４０ａ〜ｄと第２のマウント爪部８２２ａ〜ｃとの間には隙間が存在する（図１８参照）。つまり、交換レンズ６００とマウントアダプタ８００の間には、この隙間の大きさだけガタつきが存在する。
【００５４】
図１７は、交換レンズ６００が結合されたマウントアダプタ８００をカメラボディ１１０に結合させる過程を示す斜視図である。図１８は、図１７の各図に対応する、光軸を含む面での断面図である。なお、マウントアダプタ８００は、カメラボディ１１０（レンズマウント３００）に対して、ねじ式マウントで着脱される。その際のレンズマウント３００（操作部材３５０）の操作方法は、第１実施形態において交換レンズ２００をレンズマウント３００に結合させる際の操作方法と同じである。
【００５５】
図１７（ａ）及び図１８（ａ）は、交換レンズ６００が結合されたマウントアダプタ８００をカメラボディ１１０に対して当接させた状態を示している。この状態では、第２のマウント爪部８２２ａ〜ｄとマウント爪部６４０ａ〜ｄとの間には隙間があるため、交換レンズ６００とマウントアダプタ８００の間にはガタつきが生じている。
【００５６】
図１７（ｂ）及び図１８（ｂ）は、交換レンズ６００が結合されたマウントアダプタ８００をカメラボディ１１０に結合させる途中の状態を示している。レンズマウント３００の抓み部３５１を交換レンズ６００側から見て光軸を中心に反時計まわり方向に回動させると、図１８（ｂ）に示すように、レンズマウント３００のマウント爪部３２１ａとマウントアダプタ８００の第１のマウント爪部８２１ａとが係合する。同様に、マウント爪部３２１ｂ，ｃと第１のマウント爪部８２１ｂ，ｃが係合する。但し、マウントアダプタ８００の第２のマウント爪部８２２ａ〜ｄと交換レンズ６００のマウント爪部６４０ａ〜ｄとの間には隙間が存在する。
【００５７】
ここで、第２のマウント爪部８２２ａ〜ｄは、固定筒８１０に対して光軸方向に移動可能である。このことは、レンズマウント３００のマウント爪部３２１ａ〜ｃとマウントアダプタ８００の第１のマウント爪部８２１ａ〜ｃとの間に隙間が存在することを意味する。つまり、図１７（ｂ）及び図１８（ｂ）の状態では、交換レンズ６００とマウントアダプタ８００の間及びマウントアダプタ８００とカメラボディ１１０の間にガタつきが生じている。
【００５８】
図１７（ｃ）及び図１８（ｃ）は、交換レンズ６００が結合されたマウントアダプタ８００とカメラボディ１１０との結合が完了した状態を示している。レンズマウント３００の抓み部３５１を更に回動させることで、図１８（ｃ）に示すように、マウント爪部６４０ｂと第１のマウント爪部８２１ａが圧接係合する。同様に、マウント爪部６４０ｂ，ｃと第１のマウント爪部８２１ｂ，ｃが圧接係合する。
【００５９】
こうして発生するレンズマウント３００の締め付け力により、以下の第１乃至第５の部位が圧接される。第１の部位は、レンズマウント３００の固定マウント部材３１０のマウント面３１１とマウントアダプタ８００の固定筒８１０の第１のマウント面８１１との当接部である。第２の部位は、マウントアダプタ８００の固定筒８１０の第２のマウント面８１２と交換レンズ６００のマウント面６３０との当接部である。第３の部位は、交換レンズ６００のマウント爪部６４０ａとマウントアダプタ８００の可動筒８２０の第２のマウント爪部８２２ａとの係合部である。第４の部位は、マウントアダプタ８００の可動筒８２０の第１のマウント爪部８２１ａとレンズマウント３００の可動マウント部材３２０のマウント爪部３２１ａとの係合部である。第５の部位は、レンズマウント３００の可動マウント部材３２０の雌ねじ部３２３と固定マウント部材３１０の雄ねじ部３１３との螺合部である。
【００６０】
つまり、固定マウント部材３１０のマウント面３１１を基準として、可動マウント部材３２０のマウント爪部３２１ａ〜ｃが、可動筒８２０の第１のマウント爪部８２１ａ〜ｃをカメラボディ１１０側に引き込む。これに連動して、可動筒８２０の第２のマウント爪部８２２ａ〜ｃが、交換レンズ６００のマウント爪部６４０ａ〜ｃをカメラボディ１１０側に引き込む。このとき、固定筒８１０は、交換レンズ６００とカメラボディ１１０との間のスペーサとして作用する。こうして、レンズマウント３００のねじの締め付け力が、マウントアダプタ８００を介して交換レンズ６００に伝達されることにより、カメラボディ１１０、マウントアダプタ８００及び交換レンズ６００がガタつきなく結合される。
【００６１】
なお、マウントアダプタ８００の外筒８４０は、カメラボディ１１０に向かって付勢されていることが望ましい。こうして外筒８４０のマウント面８４２がレンズマウント３００のマウント面３１１に当接することにより、マウントアダプタ８００とカメラボディ１１０との間の密閉性を高めることができ、防塵性能や防滴性能を向上させることが可能となる。また、撮影中に外筒８４０がガタついて不用意な音が発生するのを防ぐことが可能となる。
【００６２】
＜第３実施形態＞
図１９（ａ）は、本発明の第３実施形態に係る撮像装置１００Ｂの分解斜視図である。撮像装置１００Ｂは、交換レンズ２００、マウントアダプタ５００及びカメラボディ１１０Ａを備える。交換レンズ２００は、第１実施形態で説明した撮像装置１００を構成する交換レンズ２００と同じであるため、説明を省略する。図１９（ｂ）は、カメラボディ１１０Ａの分解斜視図である。カメラボディ１１０Ａは、筐体１４０、固定部材１２０、電気接点部材１３０及びレンズマウント７００を備える。筐体１４０、固定部材１２０及び電気接点部材１３０はそれぞれ、第１実施形態で説明した撮像装置１００を構成する筐体１４０、固定部材１２０及び電気接点部材１３０と同じであるため、説明を省略する。レンズマウント７００は、固定部材１２０に固定される。
【００６３】
図２０は、レンズマウント７００の分解斜視図である。図２０（ａ）と図２０（ｂ）との違いは、レンズマウント７００を見ている方向の違いである。レンズマウント７００は、マウント部材７５０、付勢部材７６０、回転止め部材７７０、付勢部材７７５、操作部材７８０、付勢部材７８８及び環状部材７９０を備える。
【００６４】
マウント部材７５０は、マウント面７５１（本体側マウント面）、マウント爪部７５２ａ〜ｃ（本体側マウント爪部）、ばか穴７５３ａ〜ｄ、穴部７５４及び円筒穴部７５５を備える。付勢部材７６０は、付勢部７６１ａ〜ｃを備える。付勢部７６１ａ〜ｃはそれぞれ、板ばねにより構成される。回転止め部材７７０は、第１の凸部７７１、第２の凸部７７２及び腕部７７３を備える。第１の凸部７７１は、マウント部材７５０の穴部７５４と係合してマウント面７５１から突出する。付勢部材７７５は、圧縮ばねであり、回転止め部材７７０の第２の凸部７７２と係合し、回転止め部材７７０をマウント面７５１から突出させる方向に付勢する。
【００６５】
操作部材７８０は、操作部７８１、腕部７８２及び軸部７８３を備える。腕部７８２は、操作部材７８０が押下される動作に連動して、回転止め部材７７０の腕部７７３を押下する。付勢部材７８８は、圧縮ばねであり、操作部材７８０の軸部７８３と係合して、操作部材７８０をカメラボディ１１０Ａから突出させる方向に付勢する。環状部材７９０は、穴部７９１、穴部７９２及びばか穴部７９３ａ〜ｄを備える。穴部７９１は、回転止め部材７７０の第２の凸部７７２と係合する。穴部７９２は、操作部材７８０の軸部７８３と係合する。ばか穴部７９３ａ〜ｄのそれぞれにばか穴７５３ａ〜ｄを挿通した不図示のビスが挿通され、これらのビスが固定部材１２０に締結されることで、レンズマウント７００はカメラボディ１１０Ａに固定される。
【００６６】
図２１は、交換レンズ２００をレンズマウント７００に結合させる過程を示す斜視図である。図２２は、図２１の各図に対応する、光軸を含む面での断面図である。交換レンズ２００は、レンズマウント７００に対してバヨネット式マウントで着脱される。
【００６７】
図２１（ａ）及び図２２（ａ）は、レンズマウント７００に交換レンズ２００を押し当てた状態（マウント部材７５０のマウント面７５１と交換レンズ２００のマウント面２３０とが当接した状態）を示している。図２１（ｂ）及び図２２（ｂ）は、レンズマウント７００に押し当てられた交換レンズ２００を、光軸を中心に回転させた後の状態を示している。この状態では、マウント爪部２４０ａ〜ｃが付勢部材７６０によってカメラボディ１１０Ａに向かって付勢されることにより、交換レンズ２００はレンズマウント７００に結合している。但し、図２２（ｂ）に示すように、マウント爪部７５２ｂとマウント爪部２４０ｂとの間には隙間が存在し、同様に、マウント爪部７５２ａとマウント爪部２４０ａとの間及びマウント爪部７５２ｃとマウント爪部２４０ｃとの間にも隙間が存在する。よって、カメラボディ１１０Ａ（レンズマウント７００）と交換レンズ２００との間にはガタつきが生じている。本実施形態では、レンズマウント７００と交換レンズ２００との間にマウントアダプタ５００を配置することで、レンズマウント７００とマウントアダプタ５００との間及び交換レンズ２００とマウントアダプタ５００との間でガタつきが生じないようする。
【００６８】
続いて、マウントアダプタ５００の構成と機能について詳細に説明する。図２３は、マウントアダプタ５００の分解斜視図である。図２３（ａ）と図２３（ｂ）との違いは、マウントアダプタ５００を見ている方向の違いである。図２４は、マウントアダプタ５００の断面図である。図２４（ａ）は、光軸を含む面での断面図である。また、図２４（ｂ）は、後述するガイドピン５４０ａ〜ｄを含み、光軸と直交する面での断面図である。
【００６９】
マウントアダプタ５００は、固定筒５１０、第１の可動筒５２０、第２の可動筒５３０、ガイドピン５４０ａ〜ｄ及び電気接点部材５５０を備える。また、マウントアダプタ５００は、操作部材５６０、操作補助部材５６５、規制部材５７０、付勢部材５７８、内部筒保持部材５８０及び内部筒５９０を備える。
【００７０】
固定筒５１０は、第１のマウント面５１１、第２のマウント面５１２、円筒穴部５１３、第１の係合穴部５１４、第２の係合穴部５１５、ガイド穴５１６ａ〜ｄ、回転止め凸部５１７及び操作溝部５１８を備える。第１の可動筒５２０は、第１のマウント爪部５２１ａ〜ｃ、雄ねじ部５２２、円筒軸部５２３、係合軸部５２４、ねじ穴部５２５ａ〜ｄ、規制穴部５２６及び回転止め凹部５２７を備える。係合軸部５２４は、固定筒５１０の第１の係合穴部５１４と係合する。第２の可動筒５３０は、第２のマウント爪部５３１ａ〜ｃ、雌ねじ部５３２及び係合軸部５３３を備える。雌ねじ部５３２は、第１の可動筒５２０の雄ねじ部５２２と螺合する。係合軸部５３３は、固定筒５１０の第２の係合穴部５１５と係合する。
【００７１】
ガイドピン５４０ａ〜ｄはそれぞれ、ねじ部５４１ａ〜ｄ及び当接部５４２ａ〜ｄを備える。ねじ部５４１ａ〜ｄはそれぞれ、第１の可動筒５２０のねじ穴部５２５ａ〜ｄに締結される。当接部５４２ａ〜ｄはそれぞれ、固定筒５１０のガイド穴５１６ａ〜ｄと係合し、ガイド穴５１６ａ〜ｄにおける光軸と直交する面に当接することで、第１の可動筒５２０が固定筒５１０から光軸方向に脱落することを防止する。また、当接部５４２ａ〜ｄがそれぞれ、固定筒５１０のガイド穴５１６ａ〜ｄにおける光軸と平行な面に当接することにより、第１の可動筒５２０が固定筒５１０に対して光軸を中心として回転することが防止されている。
【００７２】
電気接点部材５５０は、第１の電気接点部５５１、第２の電気接点部５５２及び電気配線部５５３を備える。第１の電気接点部５５１と第２の電気接点部５５２は、電気配線部５５３を介して電気的に接続されている。第１の電気接点部５５１は、第１の可動筒５２０に固定される。操作部材５６０は、操作部５６１及び回転軸部５６２を備える。操作部材５６０は、第２の可動筒５３０に固定される。操作部５６１は、固定筒５１０の操作溝部５１８から突出する。操作補助部材５６５は、操作部５６６、回動穴部５６７及び当て面５６８を備える。回動穴部５６７は回転軸部５６２と係合し、これにより、操作補助部材５６５は操作部材５６０に対して回動可能に保持される。
【００７３】
図２５は、規制部材５７０の斜視図である。規制部材５７０は、第１の当て面５７２、第２の当て面５７３、第１の凸部５７４及び第２の凸部５７５を備える。第１の凸部５７４は、第１の可動筒５２０の規制穴部５２６から突出する。付勢部材５７８は圧縮ばねであり、付勢部材５７８の一方の端は規制部材５７０の第２の当て面５７３と当接する。内部筒保持部材５８０は、固定筒５１０に固定され、第１の可動筒５２０を挿通して、第１の可動筒５２０の内側に延設される。内部筒５９０は、光学部材５９１、摺動部５９２及び当て面５９３を備える。光学部材５９１は、本実施形態では拡大光学性能を有する光学部材である。摺動部５９２は、規制部材５７０と摺動する。当て面５９３は付勢部材５７８の他方の端と当接し、これにより、規制部材５７０は第２のマウント面５１２に向かう方向に付勢される。
【００７４】
図２６は、マウントアダプタ５００をカメラボディ１１０Ａに結合させる過程を示す斜視図である。マウントアダプタ５００は、カメラボディ１１０Ａ（レンズマウント７００）に対して、バヨネット式マウントで着脱される。図２６（ａ）は、カメラボディ１１０Ａにマウントアダプタ５００を押し当てている状態である。図２６（ｂ）は、マウントアダプタ５００を図２６（ａ）の状態から光軸を中心に回転させた後の状態である。マウントアダプタ５００のカメラボディ１１０Ａに対する装着は、前述した交換レンズ２００のカメラボディ１１０Ａに対する装着と同様に行われるため、詳細な説明は省略する。図２６（ｂ）の状態において、マウントアダプタ５００はカメラボディ１１０Ａに保持されており、マウントアダプタ５００の第１のマウント爪部５２１ａ〜ｃは、レンズマウント７００の付勢部材７６０によってカメラボディ１１０Ａ側に付勢されている。
【００７５】
図２７は、カメラボディ１１０Ａに結合しているマウントアダプタ５００に対して交換レンズ２００を結合させる過程を示す斜視図である。図２８は、図２７の各図に対応する、光軸を含む面での断面図である。交換レンズ２００は、マウントアダプタ５００に対して、ねじ式マウントで着脱される。
【００７６】
図２７（ａ）及び図２８（ａ）は、交換レンズ２００をマウントアダプタ５００に当接させた状態を示している。この状態では、図２６について説明したように、マウントアダプタ５００の第１のマウント爪部５２１ａ〜ｃとレンズマウント７００のマウント爪部７５２ａ〜ｃとの間には隙間が存在している。よって、マウントアダプタ５００とレンズマウント７００の間にガタつきが生じている。
【００７７】
図２７（ｂ）及び図２８（ｂ）は、交換レンズ２００をマウントアダプタ５００に結合させる途中の状態を示している。マウントアダプタ５００の操作部材５６０を、交換レンズ２００側から見て光軸を中心に反時計まわり方向に回動させる。これにより、図２８（ｂ）に示すように、マウントアダプタ５００の第２のマウント爪部５３１ｂと交換レンズ２００のマウント爪部２４０ｂとが係合する。同様に、第２のマウント爪部５３１ａとマウント爪部２４０ａとが係合し、第２のマウント爪部５３１ｃとマウント爪部２４０ｃとが係合する。但し、この時点では、マウントアダプタ５００の第１のマウント爪部５２１ａ〜ｃとレンズマウント７００のマウント爪部７５２ａ〜ｃとの間には隙間が存在する。また、第２の可動筒５３０と螺合された第１の可動筒５２０は、固定筒５１０に対して光軸方向に移動可能である。このことは、図２７（ｂ）及び図２８（ｂ）の状態は、交換レンズ２００のマウント爪部２４０ａ〜ｃとマウントアダプタ５００の第２のマウント爪部５３１ａ〜ｃとの間に隙間が存在することを意味している。よって、交換レンズ２００とマウントアダプタ５００の間及びとマウントアダプタ５００とカメラボディ１１０Ａの間にガタつきが生じている。
【００７８】
図２７（ｃ）及び図２８（ｃ）は、交換レンズ２００とマウントアダプタ５００のとの結合が完了した状態を示している。操作部材５６０を更に回動させると、図２８（ｃ）に示すように、第２の可動筒５３０と螺合している第１の可動筒５２０が交換レンズ２００側へ移動することで、第１のマウント爪部５２１ｂとマウント爪部７５２ｂとが圧接係合する。同様に、第１のマウント爪部５２１ａ，ｃとマウント爪部７５２ａ，ｃが圧接係合する。
【００７９】
こうして発生するマウントアダプタ５００の締め付け力により、以下の第１乃至第５の部位が圧接される。第１の部位は、レンズマウント７００のマウント部材７５０のマウント面７５１とマウントアダプタ５００の固定筒５１０の第１のマウント面５１１との当接部である。第２の部位は、マウントアダプタ５００の固定筒５１０の第２のマウント面５１２と交換レンズ２００のマウント面２３０との当接部である。第３の部位は、交換レンズ２００のマウント爪部２４０ｂとマウントアダプタ５００の第２の可動筒５３０の第２のマウント爪部５３１ｂとの係合部である。第４の部位は、マウントアダプタ５００における第２の可動筒５３０の雌ねじ部５３２と第１の可動筒５２０の雄ねじ部５２２との螺合部である。第５の部位は、マウントアダプタ５００の第１の可動筒５２０の第１のマウント爪部５２１ｂとレンズマウント７００のマウント部材７５０のマウント爪部７５２ｂとの係合部である。
【００８０】
つまり、第２の可動筒５３０の第２のマウント爪部５３１ａ〜ｃを基準として、第１の可動筒５２０の第１のマウント爪部５２１ａ〜ｃがマウント部材７５０のマウント爪部７５２ａ〜ｃを交換レンズ２００側に引き込む。これと同時に、第２の可動筒５３０の第２のマウント爪部５３１ａ〜ｃが、交換レンズ２００のマウント爪部２４０ａ〜ｃをカメラボディ１１０Ａ側に引き込む。このとき、固定筒５１０は、交換レンズ２００とカメラボディ１１０Ａとの間のスペーサとして作用する。こうして、マウントアダプタ５００のねじの締め付け力がカメラボディ１１０Ａと交換レンズ２００に伝達されることにより、カメラボディ１１０Ａ、マウントアダプタ５００及び交換レンズ２００がガタつきなく結合される。
【００８１】
続いて、マウントアダプタ５００からの交換レンズ２００の脱落を防止する機能について説明する。図２９は、マウントアダプタ５００からの交換レンズ２００の脱落を防止する機構を説明する斜視図である。図２９（ａ）は、操作部材５６０に対して操作補助部材５６５を回動させた状態を示している。図２９（ｂ）は、交換レンズ２００側から見て光軸を中心に時計まわり方向に操作部材５６０を図２９（ａ）の状態から回動させた状態を示している。図２９（ｂ）の状態では、操作補助部材５６５の当て面５６８は、固定筒５１０の操作溝部５１８の端に当接している。そして、交換レンズ２００のマウント爪部２４０ａ〜ｃとマウントアダプタ５００の第２のマウント爪部５３１ａ〜ｃとが、光軸投影上で重なり合っている（図２１参照）。よって、操作補助部材５６５を回動させておけば、不用意に操作部材５６０を回動させてしまった場合でも、マウントアダプタ５００から交換レンズ２００が外れてしまうのを防止することができる。
【００８２】
次に、マウントアダプタ５００の誤操作を防止する機能について説明する。マウントアダプタ５００でのねじの締め付け力が発生している状態で、マウントアダプタ５００のカメラボディ１１０Ａからの取り外しを試行したとする。すると、レンズマウント７００のマウント爪部７５２ａ〜ｃとマウントアダプタ５００の第１のマウント爪部５２１ａ〜ｃとが摩耗して、耐久性能が低下するおそれがある（図２１参照）。そのため、交換レンズ２００とマウントアダプタ５００の結合よりも先にマウントアダプタ５００とカメラボディ１１０Ａの結合を行う必要がある。また、マウントアダプタ５００とカメラボディ１１０Ａとの結合解除よりも先に交換レンズ２００とマウントアダプタ５００との結合解除を行う必要がある。つまり、撮像装置１００Ｂでは、マウントアダプタ５００に設けられたねじ式マウントを、結合時には最後に操作し、結合解除時には最初に操作する必要があり、このような操作手順をユーザに促す必要がある。
【００８３】
図３０は、マウントアダプタ５００での誤操作を防止する主な部品を示す斜視図であり、第１の可動筒５２０、規制部材５７０、内部筒５９０及び交換レンズ２００の一部が示されている。図３０（ａ）は、マウントアダプタ５００の一部を背面側から見た斜視図である。規制部材５７０の第１の凸部５７４は、第１の可動筒５２０から突出する。これにより、カメラボディ１１０Ａにマウントアダプタ５００を結合させる際に、仮に回転止め凹部５２７に第１の凸部７７１が係合しない不具合が生じたとしても、第１の凸部５７４がマウント部材７５０のマウント爪部７５２ｂの端と当接する。これにより、マウントアダプタ５００のカメラボディ１１０Ａに対する回転が規制される（図２０参照）。
【００８４】
図３０（ｂ）は、マウントアダプタ５００に交換レンズ２００が結合している状態をマウントアダプタ５００の背面側から見た斜視図である。マウントアダプタ５００に交換レンズ２００が結合されると、交換レンズ２００のマウント爪部２４０ｂによって規制部材５７０の第１の当て面５７２がカメラボディ１１０Ａに向かって光軸方向に押圧される。これにより、第１の凸部５７４だけでなく、第２の凸部５７５も第１のマウント爪部５２１ｂの近傍において第１の可動筒５２０から突出する。こうしての状態で交換レンズ２００をねじ式マウントでマウントアダプタ５００に結合させた後に、マウントアダプタ５００をバヨネット式マウントでカメラボディ１１０Ａに結合させようとしたとする。すると、レンズマウント７００のマウント面７５１とマウントアダプタ５００の第１のマウント面５１１が当接する前に（図２８参照）、レンズマウント７００のマウント爪部７５２ａが第２の凸部５７５と当接する。その結果、マウントアダプタ５００をカメラボディ１１０Ａに結合させることができなくなることで、ユーザに正しい順序の操作を促すことが可能となる。
【００８５】
また、交換レンズ２００、マウントアダプタ５００及びカメラボディ１１０Ａが結合した状態では、最初に交換レンズ２００をマウントアダプタ５００から取り外す必要がある。仮に、交換レンズ２００が結合した状態のマウントアダプタ５００をカメラボディ１１０Ａから取り外そうとすると、規制部材５７０の第２の凸部５７５が交換レンズ２００のマウント爪部２４０ａの端に当接する。その状態では、交換レンズ２００のマウント爪部２４０ａ〜ｃとレンズマウント７００のマウント爪部７５２ａ〜ｃが光軸投影上で重なり合っている。こうして、マウントアダプタ５００は、交換レンズ２００が結合している状態では、カメラボディ１１０Ａから取り外すことができない。こうして、正しい順序での操作をユーザに促すことが可能となる。
【００８６】
以上の説明の通り、本実施形態では、第１のマウント面５１１側にねじ式マウントが設けられたマウントアダプタ５００を介して、交換レンズ２００とカメラボディ１１０Ａをガタつきなく結合させる。但し、ねじ式マウントは必ずしもマウントアダプタ５００の第１のマウント面５１１側に備わっている必要はなく、第２のマウント面５１２側に備わっていてもよい。また、ねじ式マウントは、マウントアダプタ５００、交換レンズ２００及びカメラボディ１１０Ａのうちの１つに限って設けることができるものではない。例えば、マウントアダプタ５００に加えて、交換レンズ２００やカメラボディ１１０Ａにねじ式マウントが備わっていてもよい。
【００８７】
＜第４実施形態＞
図３１は、本発明の第４実施形態に係る撮像装置１００Ｃの分解斜視図である。撮像装置１００Ｃは、交換レンズ６００、マウントアダプタ９００及びカメラボディ１１０Ａを備える。交換レンズ６００は、第２実施形態で説明した撮像装置１００Ａを構成する交換レンズ６００と同じであるため、ここでの説明は省略する。また、カメラボディ１１０Ａは、第３実施形態で説明した撮像装置１００Ｂを構成するカメラボディ１１０Ａと同じであるため、ここでの説明は省略する。
【００８８】
図３２は、マウントアダプタ９００の分解斜視図である。図３２（ａ）と図３２（ｂ）との違いは、マウントアダプタ９００を見ている方向の違いである。図３３は、マウントアダプタ９００の断面図である。図３３（ａ）は、光軸を含む面での断面図である。また、図３３（ｂ）は、後述する第１のガイドピン９５０ａ〜ｄを含み、光軸と直交する面での断面図である。
【００８９】
マウントアダプタ９００は、固定筒９１０、第１の可動筒９２０、第２の可動筒９３０、外筒９４０、第１のガイドピン９５０ａ〜ｃ、第２のガイドピン９５５ａ〜ｃ、回転止め部材９６０及び操作部材９６５を備える。固定筒９１０は、第１のマウント面９１１ａ〜ｃ、第２のマウント面９１２、円筒穴部９１３、係合穴部９１４、回転止め凹部９１５、ねじ穴９１７ａ〜ｄ及び腕部９１８ａ〜ｃを備える。第１の可動筒９２０は、第１のマウント爪部９２１ａ〜ｃ、雄ねじ部９２２、溝部９２３ａ〜ｃ、円筒軸部９２４、第１の係合軸部９２５、第２の係合軸部９２６及びガイド穴９２７ａ〜ｃを備える。溝部９２３ａ〜ｃはそれぞれ、固定筒９１０の腕部９１８ａ〜ｃと係合する。第１の係合軸部９２５は、固定筒９１０の係合穴部９１４と係合する。第２の可動筒９３０は、第２のマウント爪部９３１ａ〜ｄ及び雌ねじ部９３２を備える。雌ねじ部９３２は、第１の可動筒９２０の雄ねじ部９２２と螺合する。
【００９０】
外筒９４０は、ガイド穴９４１ａ〜ｃ、マウント面９４２及び係合穴部９４３を備える。係合穴部９４３は、第１の可動筒９２０の第２の係合軸部９２６と係合する。第１のガイドピン９５０ａ〜ｃは、ねじ部９５１ａ〜ｃ及び当接部９５２ａ〜ｃを備える。第１のガイドピン９５０ａ〜ｄはそれぞれ、外筒９４０のガイド穴９４１ａ〜ｃと第１の可動筒９２０のガイド穴９２７ａ〜ｃを挿通し、固定筒９１０のねじ穴９１７ａ〜ｃに固定される。回転止め部材９６０は、固定筒９１０に固定される。操作部材９６５は、抓み部９６６を備え、第２の可動筒９３０に固定される。
【００９１】
図３４は、カメラボディ１１０Ａに結合しているマウントアダプタ９００に対して交換レンズ６００を結合させる過程を示す斜視図である。図３５は、図３４の各図に対応する、光軸を含む面での断面図である。マウントアダプタ９００は、カメラボディ１１０Ａに対してバヨネット式マウントで取り付けられており、その取り付け過程についての説明は省略する。交換レンズ６００は、後述するように、マウントアダプタ９００に対して、ねじ式マウントに類似した構造で取り付けられる。
【００９２】
図３４（ａ）及び図３５（ａ）は、カメラボディ１１０Ａに結合しているマウントアダプタ９００に交換レンズ６００を当接させた状態を示している。交換レンズ６００の円筒軸部６５０とマウントアダプタ９００の円筒穴部９１３とを係合させる。続いて、交換レンズ６００の回転止め凹部６６０とマウントアダプタ９００の回転止め部材９６０とを係合させ（図３２参照）、交換レンズ６００のマウント面６３０とマウントアダプタ９００の第２のマウント面９１２とを当接させる。この状態では、マウント爪部６４０ａ〜ｄは、第２のマウント爪部９３１ａ〜ｄと光軸投影上で重なり合っていない。なお、第１のマウント爪部９２１ａ〜ｃとレンズマウント７００のマウント爪部７５２ａ〜ｃとの間には隙間が存在し、この隙間の大きさだけ、カメラボディ１１０Ａとマウントアダプタ９００の間にはガタつきが存在する。
【００９３】
図３４（ｂ）及び図３５（ｂ）は、カメラボディ１１０Ａに結合しているマウントアダプタ９００に交換レンズ６００を結合させる途中の状態を示している。抓み部９６６を、交換レンズ６００側から見て光軸を中心に時計まわり方向に回転させると、マウント爪部６４０ａ〜ｄと第２のマウント爪部９３１ａ〜ｄとが、光軸投影上で重なり合って、係合し始める。この時点では、マウントアダプタ９００の第１のマウント爪部９２１ａ〜ｃとレンズマウント７００（カメラボディ１１０Ａ）のマウント爪部７５２ａ〜ｃとの間に隙間が生じた状態となっている。また、第１のマウント爪部９２１ａ〜ｃは、固定筒９１０に対して光軸方向に移動可能である。このことは、マウント爪部６４０ａ〜ｄと第２のマウント爪部９３１ａ〜ｄとの間に隙間が生じていることを意味する。つまり、交換レンズ６００とマウントアダプタ９００の間及びとマウントアダプタ９００とカメラボディ１１０Ａの間にガタつきが生じている。
【００９４】
図３４（ｃ）及び図３５（ｃ）は、カメラボディ１１０Ａに結合しているマウントアダプタ９００と交換レンズ６００との結合が完了した状態を示している。抓み部９６６を更に回動させると、第１のマウント爪部９２１ａ〜ｃとマウント爪部７５２ａ〜ｃが圧接係合する。こうして発生するマウントアダプタ９００の締め付け力により、以下の第１乃至第５の部位が圧接される。第１の部位は、レンズマウント７００のマウント部材７５０のマウント面７５１とマウントアダプタ９００の固定筒９１０の第１のマウント面９１１との当接部である。第２の部位は、マウントアダプタ９００の固定筒９１０の第２のマウント面９１２と交換レンズ６００のマウント面６３０との当接部である。第３の部位は、交換レンズ６００のマウント爪部６４０ａ〜ｄとマウントアダプタ９００の第２の可動筒９３０の第２のマウント爪部９３１ａ〜ｄとの係合部である。第４の部位は、マウントアダプタ９００における第２の可動筒９３０の雌ねじ部９３２と第１の可動筒９２０の雄ねじ部９２２との螺合部である。第５の部位は、マウントアダプタ９００の第１の可動筒９２０の第１のマウント爪部９２１ａ〜ｃとレンズマウント７００のマウント部材７５０のマウント爪部７５２ａ〜ｃとの係合部である。
【００９５】
つまり、第２の可動筒９３０の第２のマウント爪部９３１ａ〜ｄを基準として、第１の可動筒９２０の第１のマウント爪部９２１ａ〜ｃがマウント部材７５０のマウント爪部７５２ａ〜ｃを交換レンズ６００側に引き込む。これと同時に、第２の可動筒９３０の第２のマウント爪部９３１ａ〜ｃが、交換レンズ６００のマウント爪部６４０ａ〜ｄをカメラボディ１１０Ａ側に引き込む。このとき、固定筒９１０は、交換レンズ６００とカメラボディ１１０Ａとの間のスペーサとして作用する。このようにして、マウントアダプタ９００のねじの締め付け力が、カメラボディ１１０Ａと交換レンズ６００に伝達されることで、カメラボディ１１０Ａ、マウントアダプタ９００及び交換レンズ６００をガタつきなく結合させることができる。
【００９６】
本実施形態では、マウントアダプタ９００の第２のマウント面９１２側にねじ式マウントを設けた構成について説明した。しかし、ねじ式マウントは必ずしもマウントアダプタ９００の第２のマウント面９１２側に設けられている必要はなく、第１のマウント面９１１側に設けられていてもよい。また、マウントアダプタ９００とカメラボディ１１０Ａとの結合にバヨネット式マウントが用いられている形態について説明したが、これらの結合にねじ式マウントが用いられていてもよい。
【００９７】
＜第５実施形態＞
図３６は、本発明の第５実施形態に係る撮像装置１００Ｄの分解斜視図である。撮像装置１００Ｄは、交換レンズ２００、マウントアダプタ１１００及びカメラボディ１１０Ａを備える。交換レンズ２００は、第１実施形態で説明した撮像装置１００を構成する交換レンズ２００と同じであるため、説明を省略する。また、カメラボディ１１０Ａは、第３実施形態で説明した撮像装置１００Ｂを構成するカメラボディ１１０Ａと同じであるため、説明を省略する。
【００９８】
図３７は、マウントアダプタ１１００の分解斜視図である。なお、図３７（ａ）と図３７（ｂ）との違いは、マウントアダプタ１１００を見ている方向の違いである。図３８は、マウントアダプタ１１００の、光軸を含む面での断面図である。図３９（ａ）は、後述する第１のガイドピン１１５０ａ〜ｄを含み、光軸と直交する面での断面図である。図３９（ｂ）は、後述する第２のガイドピン１１６０ａ〜ｄを含み、光軸と直交する面での断面図である。
【００９９】
マウントアダプタ１１００は、固定筒１１１０、第１の可動筒１１２０、第２の可動筒１１３０、可動環状部材１１４０と、第１のガイドピン１１５０ａ〜ｄ、第２のガイドピン１１６０ａ〜ｄ及び操作部材１１７０を備える。固定筒１１１０は、第１のマウント面１１１１、第２のマウント面１１１２、円筒穴部１１１３、第１の係合穴部１１１４及び第２の係合穴部１１１５を備える。また、固定筒１１１０は、第１のガイド穴１１１６ａ〜ｄ、第２のガイド穴１１１７ａ〜ｄ、回転止め凸部１１１８及び操作溝部１１１９を備える。
【０１００】
第１の可動筒１１２０は、第１のマウント爪部１１２１ａ〜ｃ、雌ねじ部１１２２、円筒軸部１１２３、係合軸部１１２４、ねじ穴部１１２５ａ〜ｄ及び回転止め凹部１１２６を備える。係合軸部１１２４は、固定筒１１１０の第１の係合穴部１１１４と係合する。第２の可動筒１１３０は、第２のマウント爪部１１３１ａ〜ｃ、フランジ受け部１１３２、係合軸部１１３４及びねじ穴部１１３５ａ〜ｄを備える。係合軸部１１３４は、固定筒１１１０の第２の係合穴部１１１５と係合する。
【０１０１】
可動環状部材１１４０は、雄ねじ部１１４１及びフランジ部１１４２を備える。雄ねじ部１１４１は、第１の可動筒１１２０の雌ねじ部１１２２と螺合する。フランジ部１１４２は、第２の可動筒１１３０のフランジ受け部１１３２と係合（当接）する。第１のガイドピン１１５０ａ〜ｄは、ねじ部１１５１ａ〜ｄ及び当接部１１５２ａ〜ｄを備える。ねじ部１１５１ａ〜ｄはそれぞれ、第１の可動筒１１２０のねじ穴部１１２５ａ〜ｄに締結される。当接部１１５２ａ〜ｄはそれぞれ、固定筒１１１０の第１のガイド穴１１１６ａ〜ｄと係合する。当接部１１５２ａ〜ｄが第１のガイド穴１１１６ａ〜ｄにおける光軸と直交する面と当接することで、第１の可動筒１１２０が固定筒１１１０から脱落することが防止される。また、当接部１１５２ａ〜ｄが第１のガイド穴１１１６ａ〜ｄにおける光軸と平行な面と係合することで、第１の可動筒１１２０が固定筒１１１０に対して光軸を中心として回転することが防止される。
【０１０２】
第２のガイドピン１１６０ａ〜ｄは、ねじ部１１６１ａ〜ｄ及び当接部１１６２ａ〜ｄを備える。ねじ部１１６１ａ〜ｄはそれぞれ、第２の可動筒１１３０のねじ穴部１１３５ａ〜ｄに締結される。当接部１１６２ａ〜ｄはそれぞれ、固定筒１１１０の第２のガイド穴１１１７ａ〜ｄと係合する。当接部１１６２ａ〜ｄが第２のガイド穴１１１７ａ〜ｄにおける光軸に対して垂直な面と当接することで、第２の可動筒１１３０が固定筒１１１０から脱落することが防止される。また、当接部１１６２ａ〜ｄが第２のガイド穴１１１７ａ〜ｄにおける光軸に対して平行な面と係合することで、第２の可動筒１１３０が固定筒１１１０に対して光軸を中心として回転することが防止される。操作部材１１７０は、操作部１１７１を備える。操作部材１１７０は、可動環状部材１１４０に固定され、操作部１１７１を回動操作することにより可動環状部材１１４０を光軸を中心に回転させることができる。
【０１０３】
図４０は、カメラボディ１１０Ａ、マウントアダプタ１１００及び交換レンズ２００を結合させる過程を示す斜視図である。図４１は、図４０の各図に対応する、光軸を含む面での断面図である。マウントアダプタ１１００は、カメラボディ１１０Ａに対して最初にバヨネット式マウントで取り付けられた後、ねじ式マウントに類似した構造で結合される。同様に、交換レンズ２００も、マウントアダプタ１１００に対して最初にバヨネット式マウントで取り付けられた後、ねじ式マウントに類似した構造で結合される。
【０１０４】
図４０（ａ）及び図４１（ａ）は、マウントアダプタ１１００に対してカメラボディ１１０Ａと交換レンズ２００がバヨネット式マウントで取り付けられた状態を示している。この状態では、第２の可動筒１１３０のフランジ受け部１１３２と可動環状部材１１４０のフランジ部１１４２とが当接している。しかし、係合している交換レンズ２００のマウント爪部２４０ｂと第２の可動筒１１３０の第２のマウント爪部１１３１ｂとの間には隙間があるため、交換レンズ２００とマウントアダプタ１１００の間にはガタつきが生じている。また、係合しているカメラボディ１１０Ａ（レンズマウント７００）のマウント爪部７５２ｂと第１の可動筒１１２０の第１のマウント爪部１１２１ｂとの間にも隙間があるため、カメラボディ１１０Ａとマウントアダプタ１１００の間にはガタつきが生じている。
【０１０５】
図４０（ｂ）及び図４１（ｂ）は、マウントアダプタ１１００に対して交換レンズ２００とカメラボディ１１０Ａとをねじ式マウントに類似した構造で結合させる途中の状態を示している。操作部材１１７０を交換レンズ２００側から見て光軸を中心に反時計まわり方向に回動させる。これにより、マウント爪部２４０ｂと第２のマウント爪部１１３１ｂとが当接する。しかし、図４１（ｂ）に示すように、マウント爪部７５２ｂと第１のマウント爪部１１２１ｂとの間には隙間が存在する。ここで、第１の可動筒１１２０に螺合している可動環状部材１１４０は、固定筒１１１０に対して光軸方向に移動可能であり、第２の可動筒１１３０も光軸方向に移動可能である。よって、このことは、交換レンズ２００のマウント爪部２４０ａ〜ｃとマウントアダプタ１１００の第２のマウント爪部１１３１ａ〜ｃとの間に隙間が存在することを意味する。つまり、図４０（ｂ）及び図４１（ｂ）の状態では、交換レンズ２００とマウントアダプタ１１００の間及びマウントアダプタ１１００とカメラボディ１１０Ａの間にガタつきが生じている。
【０１０６】
図４０（ｃ）及び図４１（ｃ）は、マウントアダプタ１１００に対して交換レンズ２００とカメラボディ１１０Ａとをねじ式マウントに類似した構造で結合させた状態を示している。操作部材１１７０を更に交換レンズ２００側から見て光軸を中心に反時計まわり方向に回動させると、図４１（ｃ）に示すように、第１のマウント爪部１１２１ｂとマウント爪部７５２ｂが圧接係合する。同様に、第１のマウント爪部１１２１ａ，ｃとマウント爪部７５２ａ，ｃが圧接係合する。
【０１０７】
こうして発生するマウントアダプタ１１００の締め付け力により、以下の第１乃至第６の部位が圧接される。第１の部位は、レンズマウント７００のマウント部材７５０のマウント面７５１とマウントアダプタ１１００固定筒１１１０の第１のマウント面１１１１との当接部である。第２の部位は、マウントアダプタ１１００の固定筒１１１０の第２のマウント面１１１２と交換レンズ２００のマウント面２３０との当接部である。第３の部位は、交換レンズ２００のマウント爪部２４０ｂとマウントアダプタ１１００の第２の可動筒１１３０の第２のマウント爪部１１３１ｂとの係合部である。第４の部位は、マウントアダプタ１１００における第２の可動筒１１３０のフランジ受け部１１３２と可動環状部材１１４０のフランジ部１１４２との当接部である。第５の部位は、マウントアダプタ１１００における可動環状部材１１４０の雄ねじ部１１４１と第１の可動筒１１２０の雌ねじ部１１２２との螺合部である。第６の部位は、マウントアダプタ１１００の第１の可動筒１１２０の第１のマウント爪部１１２１ｂとレンズマウント７００のマウント部材７５０のマウント爪部７５２ｂとの係合部である。
【０１０８】
つまり、第２の可動筒１１３０の第２のマウント爪部１１３１ａ〜ｃを基準として、次の動きが生じる。すなわち、可動環状部材１１４０を介して、可動環状部材１１４０に螺合する第１の可動筒１１２０の第１のマウント爪部１１２１ａ〜ｃが、マウント部材７５０のマウント爪部７５２ａ〜ｃを交換レンズ２００側に引き込む。これと同時に、第２の可動筒１１３０の第２のマウント爪部１１３１ａ〜ｃが、交換レンズ２００のマウント爪部２４０ａ〜ｃをカメラボディ１１０Ａ側に引き込む。このとき、固定筒１１１０が、交換レンズ２００とカメラボディ１１０Ａとの間のスペーサとして作用する。こうして、マウントアダプタ１１００のねじの締め付け力がカメラボディ１１０Ａと交換レンズ２００に伝達されることにより、カメラボディ１１０Ａ、マウントアダプタ１１００及び交換レンズ２００をガタつきなく、結合させることができる。
【０１０９】
本実施形態では、マウントアダプタ１１００の第１のマウント面１１１１側に設けたねじ式マウントによってマウントアダプタ１１００を介して交換レンズ２００とカメラボディ１１０Ａをガタつきなく結合させる方法について説明した。しかし、ねじ式マウントは必ずしもマウントアダプタ１１００の第１のマウント面１１１１側に設けられている必要はなく、第２のマウント面１１１２側に設けられていてもよい。また、ねじ式マウントは、マウントアダプタ１１００や交換レンズ２００やカメラボディ１１０Ａのうちの１つに限って設けられている必要はない。例えば、マウントアダプタ１１００に加えて、交換レンズ２００又はカメラボディ１１０Ａにねじ式マウントが設けられていてもよい。
【０１１０】
＜第６実施形態＞
図４２は、本発明の第６実施形態に係る撮像装置１００Ｅの外観斜視図である。撮像装置１００Ｅは、交換レンズ２００、マウントアダプタ１２００及びカメラボディ１１０Ａを備える。交換レンズ２００は、第１実施形態で説明した撮像装置１００を構成する交換レンズ２００と同じであるため、ここでの説明は省略する。また、カメラボディ１１０Ａは、第３実施形態で説明した撮像装置１００Ｂを構成するカメラボディ１１０Ａと同じであるため、ここでの説明は省略する。
【０１１１】
図４３は、マウントアダプタ１２００の分解斜視図である。図４３（ａ）と図４３（ｂ）との違いは、マウントアダプタ１２００を見ている方向の違いである。図４４は、マウントアダプタ１２００の、光軸を含む面での断面図である。マウントアダプタ１２００は、固定筒１２１０、第１の可動筒１２２０、第２の可動筒１２３０、第１の操作部材１２４０及び第２の操作部材１２５０を備える。固定筒１２１０は、第１のマウント面１２１１、第２のマウント面１２１２、第１の雌ねじ部１２１３、第２の雌ねじ部１２１４、円筒軸部１２１５、第１の係合穴部１２１６、第２の係合穴部１２１７、回転止め凹部１２１８及び回転止め凸部１２１９を備える。
【０１１２】
第１の可動筒１２２０は、第１のマウント爪部１２２１ａ〜ｃ、第１の雄ねじ部１２２２及び係合軸部１２２３を備える。第１の雄ねじ部１２２２は固定筒１２１０の第１の雌ねじ部１２１３と螺合し、係合軸部１２２３は固定筒１２１０の第１の係合穴部１２１６と係合する。第２の可動筒１２３０は、第２のマウント爪部１２３１ａ〜ｃ、第２の雄ねじ部１２３２、円筒穴部１２３３及び係合軸部１２３４を備える。第２の雄ねじ部１２３２は固定筒１２１０の第２の雌ねじ部１２１４と螺合し、係合軸部１２３４は固定筒１２１０の第２の係合穴部１２１７と係合する。
【０１１３】
第１の操作部材１２４０は、操作部１２４１を備える。第１の操作部材１２４０は第１の可動筒１２２０に取り付けられており、固定筒１２１０に周方向に設けられた溝部から外周へ向けて操作部１２４１が突出している。第２の操作部材１２５０は、操作部１２５１を備える。第２の操作部材１２５０は、第２の可動筒１２３０に取り付けられており、固定筒１２１０に周方向に設けられた溝部から外周へ向けて操作部１２４２が突出している。
【０１１４】
図４５は、マウントアダプタ１２００をカメラボディ１１０Ａに結合させる過程を示す斜視図である。図４６は、図４５の各図に対応する、光軸を含む面での断面図である。図４５（ａ）及び図４６（ａ）は、マウントアダプタ１２００をカメラボディ１１０Ａに当接させた状態を示している。先ず、レンズマウント７００の第１の凸部７７１とマウントアダプタ１２００の回転止め凹部１２１８とを係合させる（適宜図２０参照）。続いて、レンズマウント７００の円筒穴部７５５とマウントアダプタ１２００の円筒軸部１２１５とを係合させる。そして、レンズマウント７００のマウント面７５１とマウントアダプタ１２００の第１のマウント面１２１１とを当接させる。このとき、レンズマウント７００のマウント爪部７５２ａ〜ｃとマウントアダプタ１２００の第１のマウント爪部１２２１ａ〜ｃとは光軸投影上で重なり合っていない。
【０１１５】
図４５（ｂ）及び図４６（ｂ）は、マウントアダプタ１２００をカメラボディ１１０Ａに結合させる途中の状態を示している。マウントアダプタ１２００の操作部１２４１をマウントアダプタ１２００の正面側（交換レンズ２００が結合される側）から見て光軸を中心に反時計まわり方向に回動させると、マウントアダプタ１２００の第１の可動筒１２２０が光軸を中心に回転する。これと同時に、第１の可動筒１２２０は固定筒１２１０に対して螺合しているため、マウントアダプタ１２００の正面側に向かって光軸方向に移動する。これにより、図４６（ｂ）に示すように、マウント爪部７５２ｂと第１のマウント爪部１２２１ｂとが光軸投影上で重なり始め、同時に、マウント爪部７５２ｂと第１のマウント爪部１２２１ｂとの光軸方向の距離が縮まる。同様に、マウント爪部７５２ａ，ｃと第１のマウント爪部１２２１ａ，ｃとが光軸投影上で重なり始めると共に、マウント爪部７５２ａ，ｃと第１のマウント爪部１２２１ａ，ｃとの光軸方向の距離も縮まる。しかし、マウント爪部７５２ａ〜ｃと第１のマウント爪部１２２１ａ〜ｃとの間には隙間が存在するため、カメラボディ１１０Ａ（レンズマウント７００）とマウントアダプタ１２００の間にはガタつきが生じている。
【０１１６】
図４５（ｃ）及び図４６（ｃ）は、マウントアダプタ４００とカメラボディ１１０Ａとの結合が完了した状態を示している。操作部１２４１を、マウントアダプタ４００の正面側から見て光軸を中心に、図４５（ｂ）に示した状態よりも更に反時計まわり方向に回動させる。すると、図４６（ｃ）に示されるように、マウント爪部７５２ｂと第１のマウント爪部１２２１ｂとが圧接して係合した状態（以下「圧接係合」と称呼する）となる。同様に、マウント爪部７５２ａと第１のマウント爪部１２２１ａとが圧接係合し、マウント爪部７５２ｃと第１のマウント爪部１２２１ｃとが圧接係合する。つまり、マウントアダプタ１２００を基準とすると、第１の可動筒１２２０を固定筒１２１０に対して回転させることにより発生するねじの締め付け力により、マウント爪部７５２ａ〜ｃがマウントアダプタ１２００に向かって引き込まれる。こうして、マウント爪部７５２ａ〜ｃと第１のマウント爪部１２２１ａ〜ｃの間に隙間が存在しない状態となり、カメラボディ１１０Ａ（レンズマウント７００）とマウントアダプタ１２００とがガタつきなく結合される。
【０１１７】
図４７は、カメラボディ１１０Ａに結合されたマウントアダプタ１２００に交換レンズ２００を結合させる過程を示す図である。図４８は、図４７の各図に対応する、光軸を含む面での断面図である。図４７（ａ）及び図４８（ａ）は、交換レンズ２００をマウントアダプタ１２００に当接させた状態を示している。まず、マウントアダプタ１２００の回転止め凸部１２１９と交換レンズ２００の回転止め凹部２６０とを係合させる（図２及び図４３参照）。続いて、マウントアダプタ１２００の円筒穴部１２３３と交換レンズ２００の円筒軸部２５０とを係合させ、また、マウントアダプタ１２００の第２のマウント面１２１２と交換レンズ２００のマウント面２３０とを当接させる。このとき、マウントアダプタ１２００の第２のマウント爪部１２３１ａ〜ｃと交換レンズ２００のマウント爪部２４０ａ〜ｃは光軸投影上で重なり合っていない。
【０１１８】
図４７（ｂ）及び図４８（ｂ）は、交換レンズ２００をマウントアダプタ４００に結合させる途中の状態を示している。マウントアダプタ１２００の操作部１２５１を、交換レンズ２００側から見て光軸を中心に反時計まわり方向に回動させると、マウントアダプタ１２００の第２の可動筒１２３０が光軸を中心に回転する。これと同時に、第２の可動筒１２３０は、固定筒１２１０に対して螺合しているため、カメラボディ１１０Ａ側に向かって光軸方向に移動する。これにより、図４８（ｂ）に示すように、第２のマウント爪部１２３１ｂとマウント爪部２４０ｂとが光軸投影上で重なり始め、同時に、第２のマウント爪部１２３１ｂとマウント爪部２４０ｂとの光軸方向の距離が縮まる。同様に、第２のマウント爪部１２３１ａ，ｃとマウント爪部２４０ａ，ｃとが光軸投影上で重なり始めると共に、第２のマウント爪部１２３１ａ，ｃとマウント爪部２４０ａ，ｃとの光軸方向の距離が縮まる。しかし、図４７（ｂ）及び図４８（ｂ）に示す状態では、第２のマウント爪部１２３１ａ〜ｃとマウント爪部２４０ａ〜ｃとの間には隙間が存在する。つまり、マウントアダプタ４００と交換レンズ２００の間にはガタつきが生じている。
【０１１９】
図４７（ｃ）及び図４８（ｃ）は、交換レンズ２００がマウントアダプタ１２００に結合した状態を示している。操作部１２５１を、交換レンズ２００側から見て光軸を中心に、図４７（ｂ）に示した状態よりも更に反時計まわり方向に回動させる。これにより、図４８（ｃ）に示されるように、第２のマウント爪部１２３１ｂとマウント爪部２４０ｂとが圧接係合する。同様に、第２のマウント爪部１２３１ａとマウント爪部２４０ａとが圧接係合し、第２のマウント爪部１２３１ｃとマウント爪部２４０ｃとが圧接係合する。つまり、マウントアダプタ１２００を基準として、第２の可動筒１２３０を固定筒１２１０に対して回転させることで発生するねじの締め付け力を用いて、マウント爪部２４０ａ〜ｃがマウントアダプタ１２００に向かって引き込まれる。こうして、第２のマウント爪部１２３１ａ〜ｃとマウント爪部２４０ａ〜ｃとの間に隙間が存在しない状態となり、マウントアダプタ１２００と交換レンズ２００がガタつきなく結合される。
【０１２０】
以上の通りにして、交換レンズ２００、マウントアダプタ１２００及びカメラボディ１１０Ａがガタつきなく結合されることで一体感が得られ、撮像装置１００Ｅを一体化させることができる。よって、撮影者は、違和感なく撮像装置１００を操作することができる。なお、本実施形態では、マウントアダプタ１２００の第１のマウント面１２１１側と第２のマウント面１２１２側にねじ式マウントを設けた。しかし、ねじ式マウントは必ずしもマウントアダプタ１２００に備わっている必要はなく、カメラボディ１１０Ａに設けられていてもよいし、交換レンズ２００に設けられていてもよい。
【０１２１】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【符号の説明】
【０１２２】
１００    撮像装置
１１０    カメラボディ
２００    交換レンズ
３００    レンズマウント
４００    マウントアダプタ
４１０    固定筒
４１１    第１のマウント面
４１２    第２のマウント面
４２０    可動筒
４２１ａ〜ｃ    第１のマウント爪部
４２２ａ〜ｃ    第２のマウント爪部
【図１】
2019078902.tif 000003
【図２】
2019078902.tif 000004
【図３】
2019078902.tif 000005
【図４】
2019078902.tif 000006
【図５】
2019078902.tif 000007
【図６】
2019078902.tif 000008
【図７】
2019078902.tif 000009
【図８】
2019078902.tif 000010
【図９】
2019078902.tif 000011
【図１０】
2019078902.tif 000012
【図１１】
2019078902.tif 000013
【図１２】
2019078902.tif 000014
【図１３】
2019078902.tif 000015
【図１４】
2019078902.tif 000016
【図１５】
2019078902.tif 000017
【図１６】
2019078902.tif 000018
【図１７】
2019078902.tif 000019
【図１８】
2019078902.tif 000020
【図１９】
2019078902.tif 000021
【図２０】
2019078902.tif 000022
【図２１】
2019078902.tif 000023
【図２２】
2019078902.tif 000024
【図２３】
2019078902.tif 000025
【図２４】
2019078902.tif 000026
【図２５】
2019078902.tif 000027
【図２６】
2019078902.tif 000028
【図２７】
2019078902.tif 000029
【図２８】
2019078902.tif 000030
【図２９】
2019078902.tif 000031
【図３０】
2019078902.tif 000032
【図３１】
2019078902.tif 000033
【図３２】
2019078902.tif 000034
【図３３】
2019078902.tif 000035
【図３４】
2019078902.tif 000036
【図３５】
2019078902.tif 000037
【図３６】
2019078902.tif 000038
【図３７】
2019078902.tif 000039
【図３８】
2019078902.tif 000040
【図３９】
2019078902.tif 000041
【図４０】
2019078902.tif 000042
【図４１】
2019078902.tif 000043
【図４２】
2019078902.tif 000044
【図４３】
2019078902.tif 000045
【図４４】
2019078902.tif 000046
【図４５】
2019078902.tif 000047
【図４６】
2019078902.tif 000048
【図４７】
2019078902.tif 000049
【図４８】
2019078902.tif 000050